(57)【要約】  電子サービスガイド（ＥＳＧ）ディスカバリが要求されるモバイル放送システムにおける移動性をサポートする方法及びその装置を提供する。移動性のサポートは３つの方式に分類される。第１の方式は、ローカルＩＰＤＣオペレータのうちローミングパートナーを有するローカルＩＰＤＣオペレータに対するローミング情報を提供する。第２の方式は、端末が特定のローカルＩＰＤＣオペレータに対する情報の伝送を要求するクエリメッセージを伝送し、それに応答して特定のローカルＩＰＤＣオペレータに関する情報を受信する。第３の方式は、ローミングサービスの提供によって分類されるアクセスタイプ、ＥＳＧのタイプ情報を端末に提供する。モバイル放送システムから端末に提供される、ローミング情報、特定のローカルＩＰＤＣオペレータに関する情報、及びＥＳＧのタイプ情報はＥＳＧブートストラップレベルで提供される。【選択図】      図１０
2011509625.tif 000002
【特許請求の範囲】
【請求項１】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムのサーバによって端末の移動性をサポートする方法であって、
所定のＩＰプラットフォームと電子サービスガイド（Ｅｌｅｃｔｒｏｎｉｃ  Ｓｅｒｖｉｃｅ  Ｇｕｉｄｅ：以下、ＥＳＧ）で端末に放送サービスを提供するローカルＩＰＤＣオペレータをリスト化するステップと、
前記ローカルＩＰＤＣオペレータの中でローミングパートナーを有するローカルＩＰＤＣオペレータに対するローミング情報を生成するステップと、
放送ネットワークを通じて前記ローミング情報を含む放送サービス情報を伝送するステップとを具備することを特徴とするＩＰＤＣをサポートするモバイル放送システムのサーバによって端末の移動性をサポートする方法。
【請求項２】
前記ローミングパートナーを有するローカルＩＰＤＣオペレータは、前記ローミングパートナーとして設定されるローカルＩＰＤＣオペレータに加入した端末にも前記放送サービスを提供することを特徴とする請求項１に記載のＩＰＤＣをサポートするモバイル放送システムのサーバによって端末の移動性をサポートする方法。
【請求項３】
前記放送サービス情報は、ＥＳＧブートストラップを含み、
前記ローミング情報を生成するステップは、前記ＥＳＧブスートストラップに前記ローミング情報を含めるステップをさらに含むことを特徴とする請求項１に記載のＩＰＤＣをサポートするモバイル放送システムのサーバによって端末の移動性をサポートする方法。
【請求項４】
前記ＥＳＧブートストラップは、前記ローミング情報を提供するための別途のディスクリプタをさらに含むことを特徴とする請求項３に記載のＩＰＤＣをサポートするモバイル放送システムのサーバによって端末の移動性をサポートする方法。
【請求項５】
前記ローミング情報は、前記ローミングパートナーとして設定されるローカルＩＰＤＣオペレータのＩＰＤＣ  ＫＭＳ（Ｋｅｙ  Ｍａｎａｇｅｍｅｎｔ  Ｓｙｓｔｅｍ）識別子とＩＰＤＣオペレータ識別子との内の少なくとも一つを含むことを特徴とする請求項１に記載のＩＰＤＣをサポートするモバイル放送システムのサーバによって端末の移動性をサポートする方法。
【請求項６】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムの端末によって移動性をサポートする方法であって、
所定のＩＰプラットフォームと電子サービスガイド（Ｅｌｅｃｔｒｏｎｉｃ  Ｓｅｒｖｉｃｅ  Ｇｕｉｄｅ：以下、ＥＳＧ）で端末に放送サービスを提供するローカルＩＰＤＣオペレータに関する情報を含む放送サービス情報を放送ネットワークを通じて受信するステップと、
前記ローカルＩＰＤＣオペレータの中からローミングパートナーを有するローカルＩＰＤＣオペレータに対するローミング情報を取得するために前記放送サービス情報を解析するステップと、
前記端末が加入したローカルＩＰＤＣオペレータを通じて前記放送サービスを受信できない場合、前記取得されたローミング情報から前記加入したローカルＩＰＤＣオペレータを前記ローミングパートナーとして有する特定のローカルＩＰＤＣオペレータを探すステップと、
前記特定のローカルＩＰＤＣオペレータを探し出した時、前記特定のローカルＩＰＤＣオペレータのＥＳＧを用いて前記放送サービスにアクセスするステップとを具備することを特徴とするＩＰＤＣをサポートするモバイル放送システムの端末によって移動性をサポートする方法。
【請求項７】
前記放送サービス情報はＥＳＧブートストラップを含み、
前記ＥＳＧブートストラップは、前記ローミング情報をさらに含むことを特徴とする請求項６に記載のＩＰＤＣをサポートするモバイル放送システムの端末によって移動性をサポートする方法。
【請求項８】
前記ＥＳＧブートストラップは、前記ローミング情報を提供するための別途のディスクリプタを含むことを特徴とする請求項７に記載のＩＰＤＣをサポートするモバイル放送システムの端末によって移動性をサポートする方法。
【請求項９】
前記ローミング情報は、前記ローミングパートナーとして設定されるローカルＩＰＤＣオペレータのＩＰＤＣ  ＫＭＳ（Ｋｅｙ  Ｍａｎａｇｅｍｅｎｔ  Ｓｙｓｔｅｍ）識別子とＩＰＤＣオペレータ識別子との内の少なくとも一つを含むことを特徴とする請求項６に記載のＩＰＤＣをサポートするモバイル放送システムの端末によって移動性をサポートする方法。
【請求項１０】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムにおける端末の移動性をサポートするサーバ装置であって、
所定のＩＰプラットフォームと電子サービスガイド（Ｅｌｅｃｔｒｏｎｉｃ  Ｓｅｒｖｉｃｅ  Ｇｕｉｄｅ：以下、ＥＳＧ）で端末に放送サービスを提供するローカルＩＰＤＣオペレータをリスト化し、前記ローカルＩＰＤＣオペレータのうちローミングパートナーを有するローカルＩＰＤＣオペレータに対するローミング情報を生成する制御部と、
前記制御部によって生成された前記ローミング情報を含む放送サービス情報を放送ネットワークを通じて伝送する送信部とを有することを特徴とするＩＰＤＣをサポートするモバイル放送システムにおける端末の移動性をサポートするサーバ装置。
【請求項１１】
前記ローミングパートナーを有するローカルＩＰＤＣオペレータは、前記ローミングパートナーとして設定されるローカルＩＰＤＣオペレータに加入した端末にも前記放送サービスを提供することを特徴とする請求項１０に記載のＩＰＤＣをサポートするモバイル放送システムにおける端末の移動性をサポートするサーバ装置。
【請求項１２】
前記放送サービス情報はＥＳＧブートストラップを含み、
前記ＥＳＧブートストラップは、前記ローミング情報をさらに含むことを特徴とする請求項１０に記載のＩＰＤＣをサポートするモバイル放送システムにおける端末の移動性をサポートするサーバ装置。
【請求項１３】
前記ＥＳＧブートストラップは、前記ローミング情報を提供するための別途のディスクリプタをさらに含むことを特徴とする請求項１２に記載のＩＰＤＣをサポートするモバイル放送システムにおける端末の移動性をサポートするサーバ装置。
【請求項１４】
前記ローミング情報は、前記ローミングパートナーとして設定されるローカルＩＰＤＣオペレータのＩＰＤＣ  ＫＭＳ（Ｋｅｙ  Ｍａｎａｇｅｍｅｎｔ  Ｓｙｓｔｅｍ）識別子とＩＰＤＣオペレータ識別子との内の少なくとも一つを含むことを特徴とする請求項１０に記載のＩＰＤＣをサポートするモバイル放送システムにおける端末の移動性をサポートするサーバ装置。
【請求項１５】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムにおける移動性をサポートする端末装置であって、
所定のＩＰプラットフォームと電子サービスガイド（Ｅｌｅｃｔｒｏｎｉｃ  Ｓｅｒｖｉｃｅ  Ｇｕｉｄｅ：以下、ＥＳＧ）で端末に放送サービスを提供するローカルＩＰＤＣオペレータに関する情報を含む放送サービス情報を放送ネットワークを通じて受信する受信部と、
前記ローカルＩＰＤＣオペレータの中からローミングパートナーを有するローカルＩＰＤＣオペレータに対するローミング情報を取得するために前記放送サービス情報を解析し、前記端末が加入したローカルＩＰＤＣオペレータを通じて前記放送サービスを受信できない場合、前記取得されたローミング情報から前記加入したローカルＩＰＤＣオペレータを前記ローミングパートナーとして有する特定のローカルＩＰＤＣオペレータを探し、前記特定のローカルＩＰＤＣオペレータを探し出した時、前記特定のローカルＩＰＤＣオペレータのＥＳＧを用いて前記放送サービスにアクセスする制御部とを具備することを特徴とするＩＰＤＣをサポートするモバイル放送システムにおける移動性をサポートする端末装置。
【請求項１６】
前記放送サービス情報はＥＳＧブートストラップを含み、
前記ＥＳＧブートストラップは前記ローミング情報をさらに含むことを特徴とする請求項１５に記載のＩＰＤＣをサポートするモバイル放送システムにおける移動性をサポートする端末装置。
【請求項１７】
前記ＥＳＧブートストラップは、前記ローミング情報を提供するための別途のディスクリプタを含む請求項１６に記載のＩＰＤＣをサポートするモバイル放送システムにおける移動性をサポートする端末装置。
【請求項１８】
前記ローミング情報は、前記ローミングパートナーとして設定されるローカルＩＰＤＣオペレータのＩＰＤＣ  ＫＭＳ（Ｋｅｙ  Ｍａｎａｇｅｍｅｎｔ  Ｓｙｓｔｅｍ）識別子とＩＰＤＣオペレータ識別子との内の少なくとも一つを含むことを特徴とする請求項１５に記載のＩＰＤＣをサポートするモバイル放送システムにおける移動性をサポートする端末装置。
【請求項１９】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムの端末によって移動性をサポートする方法であって、
所定のＩＰプラットフォームと電子サービスガイド（Ｅｌｅｃｔｒｏｎｉｃ  Ｓｅｒｖｉｃｅ  Ｇｕｉｄｅ：以下、ＥＳＧ）で端末に放送サービスを提供するローカルＩＰＤＣオペレータの中で特定のローカルＩＰＤＣオペレータに関する情報の伝送を要求する少なくとも一つのキー値を含むクエリ（ｑｕｅｒｙ）メッセージを生成するステップと、
前記特定のローカルＩＰＤＣオペレータに関する情報の伝送を要求する前記少なくとも一つのキー値を含むクエリメッセージを双方向チャンネルを介してサーバに伝送するステップと、
前記クエリメッセージに応答して前記サーバから前記特定のローカルＩＰＤＣオペレータに関する情報を含む応答メッセージを受信するステップとを具備することを特徴とするＩＰＤＣをサポートするモバイル放送システムの端末によって移動性をサポートする方法。
【請求項２０】
前記特定のローカルＩＰＤＣオペレータに関する情報は、該当ローカルＩＰＤＣオペレータに対するＥＳＧブートストラップをさらに含むことを特徴とする請求項１９に記載のＩＰＤＣをサポートするモバイル放送システムの端末によって移動性をサポートする方法。
【請求項２１】
前記ＥＳＧブートストラップは、前記特定のローカルＩＰＤＣオペレータに対する別途のディスクリプタをさらに含むことを特徴する請求項２０に記載のＩＰＤＣをサポートするモバイル放送システムの端末によって移動性をサポートする方法。
【請求項２２】
前記クエリメッセージ中の前記少なくとも一つのキー値は、前記特定のローカルＩＰＤＣオペレータのＩＰＤＣ  ＫＭＳ（Ｋｅｙ  Ｍａｎａｇｅｍｅｎｔ  Ｓｙｓｔｅｍ）識別子、ＩＰＤＣオペレータ識別子、及びＩＰフラットフォーム識別子の内の少なくとも一つを含むことを特徴とする請求項１９に記載のＩＰＤＣをサポートするモバイル放送システムの端末によって移動性をサポートする方法。
【請求項２３】
前記サーバが前記ローカルＩＰＤＣオペレータの中でローミングパートナーを有するローカルＩＰＤＣオペレータに対するローミング情報を管理し、前記クエリメッセージが前記ローミングパートナーとして前記特定のローカルＩＰＤＣオペレータに関する情報を要求するメッセージである場合、前記応答メッセージは、前記特定のローカルＩＰＤＣオペレータに関連した特定のＩＰプラットフォームとＥＳＧのうちの少なくとも一つを含むことを特徴とする請求項１９に記載のＩＰＤＣをサポートするモバイル放送システムの端末によって移動性をサポートする方法。
【請求項２４】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムのサーバによって端末に移動性をサポートする方法であって、
所定のＩＰプラットフォームと電子サービスガイド（Ｅｌｅｃｔｒｏｎｉｃ  Ｓｅｒｖｉｃｅ  Ｇｕｉｄｅ：以下、ＥＳＧ）で端末に放送サービスを提供するローカルＩＰＤＣオペレータのうち、特定のローカルＩＰＤＣオペレータに関する情報の伝送を要求する少なくとも一つのキー値を含む端末のクエリメッセージを双方向チャンネルを介して受信するステップと、
前記端末から受信された前記クエリメッセージに応答して前記少なくとも一つのキー値に基づいて前記特定のローカルＩＰＤＣオペレータに関する情報を含む応答メッセージを生成して伝送するステップとを具備することを特徴とするＩＰＤＣをサポートするモバイル放送システムのサーバによって端末に移動性をサポートする方法。
【請求項２５】
前記応答メッセージに含まれた前記特定のローカルＩＰＤＣオペレータに関する情報は、前記該当ローカルＩＰＤＣオペレータに対するＥＳＧブートストラップをさらに含むことを特徴とする請求項２４に記載のＩＰＤＣをサポートするモバイル放送システムのサーバによって端末に移動性をサポートする方法。
【請求項２６】
前記ＥＳＧブートストラップは、前記特定のローカルＩＰＤＣオペレータに対する別途のディスクリプタをさらに含むことを特徴する請求項２５に記載のＩＰＤＣをサポートするモバイル放送システムのサーバによって端末に移動性をサポートする方法。
【請求項２７】
前記クエリメッセージ中の前記少なくとも一つのキー値は、前記特定のローカルＩＰＤＣオペレータのＩＰＤＣ  ＫＭＳ（Ｋｅｙ  Ｍａｎａｇｅｍｅｎｔ  Ｓｙｓｔｅｍ）識別子、ＩＰＤＣオペレータ識別子、及びＩＰフラットフォーム識別子の内の少なくとも一つを含むことを特徴とする請求項２４に記載のＩＰＤＣをサポートするモバイル放送システムのサーバによって端末に移動性をサポートする方法。
【請求項２８】
所定のＩＰプラットフォームと電子サービスガイド（ＥＳＧ）で端末に放送サービスを提供するローカルＩＰＤＣオペレータをリスト化するステップと、
前記ローカルＩＰＤＣオペレータの中からローミングパートナーを有するローカルＩＰＤＣオペレータに対するローミング情報を生成するステップとをさらに具備し、
前記クエリメッセージが前記ローミングパートナーとして前記特定のローカルＩＰＤＣオペレータに関する情報を要求するメッセージである場合、前記応答メッセージは、前記特定のローカルＩＰＤＣオペレータに関連した特定のＩＰプラットフォームとＥＳＧの内の少なくとも一つを含むことを特徴とする請求項２４に記載のＩＰＤＣをサポートするモバイル放送システムのサーバによって端末に移動性をサポートする方法。
【請求項２９】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムにおける移動性をサポートする端末装置であって、
所定のＩＰプラットフォームと電子サービスガイド（Ｅｌｅｃｔｒｏｎｉｃ  Ｓｅｒｖｉｃｅ  Ｇｕｉｄｅ：以下、ＥＳＧ）で端末に放送サービスを提供するローカルＩＰＤＣオペレータのうち、特定のローカルＩＰＤＣオペレータに関する情報の伝送を要求する少なくとも一つのキー値を含むクエリメッセージを生成する制御部と、
前記特定のローカルＩＰＤＣオペレータに関する情報の伝送を要求する前記少なくとも一つのキー値を含む前記クエリメッセージを双方向チャンネルを介してサーバに伝送する送信部と、
前記クエリメッセージに応答して前記サーバから前記特定のローカルＩＰＤＣオペレータに関する情報を含む応答メッセージを受信する受信部とを有することを特徴とするＩＰＤＣをサポートするモバイル放送システムにおける移動性をサポートする端末装置。
【請求項３０】
前記特定のローカルＩＰＤＣオペレータに関する情報は、該当ローカルＩＰＤＣオペレータに対するＥＳＧブートストラップをさらに含むことを特徴とする請求項２９に記載のＩＰＤＣをサポートするモバイル放送システムにおける移動性をサポートする端末装置。
【請求項３１】
前記ＥＳＧブートストラップは、前記特定のローカルＩＰＤＣオペレータに対する別途のディスクリプタをさらに含むことを特徴する請求項３０に記載のＩＰＤＣをサポートするモバイル放送システムにおける移動性をサポートする端末装置。
【請求項３２】
前記クエリメッセージ中の前記少なくとも一つのキー値は、前記特定のローカルＩＰＤＣオペレータのＩＰＤＣ  ＫＭＳ（Ｋｅｙ  Ｍａｎａｇｅｍｅｎｔ  Ｓｙｓｔｅｍ）識別子、ＩＰＤＣオペレータ識別子、及びＩＰフラットフォーム識別子の内の少なくとも一つを含むことを特徴とする請求項２９に記載のＩＰＤＣをサポートするモバイル放送システムにおける移動性をサポートする端末装置。
【請求項３３】
前記要求メッセージが前記ローミングパートナーとして前記特定のローカルＩＰＤＣオペレータの情報を要求するメッセージである場合、
前記制御部は、前記ローカルＩＰＤＣオペレータの中でローミングパートナーを有するローカルＩＰＤＣオペレータに対するローミング情報をさらに管理し、
前記応答メッセージは、前記特定のローカルＩＰＤＣオペレータに関連した特定のＩＰプラットフォームとＥＳＧのうちの少なくとも一つを含むことを特徴とする請求項２９に記載のＩＰＤＣをサポートするモバイル放送システムにおける移動性をサポートする端末装置。
【請求項３４】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムにおける端末に移動性をサポートするサーバ装置であって、
所定のＩＰプラットフォームと電子サービスガイド（Ｅｌｅｃｔｒｏｎｉｃ  Ｓｅｒｖｉｃｅ  Ｇｕｉｄｅ：以下、ＥＳＧ）で端末に放送サービスを提供するローカルＩＰＤＣオペレータのうち特定のローカルＩＰＤＣオペレータに関する情報の伝送を要求する少なくとも一つのキー値を含む端末のクエリメッセージを双方向チャンネルを介して受信する受信部と、
前記クエリメッセージに応答メッセージを伝送する送信部と、
前記端末から受信された前記クエリメッセージに応答して前記少なくとも一つのキー値に基づいて前記特定のローカルＩＰＤＣオペレータに関する情報を含む応答メッセージを生成する制御部とを有することを特徴とするＩＰＤＣをサポートするモバイル放送システムにおける端末に移動性をサポートするサーバ装置。
【請求項３５】
前記応答メッセージに含まれた前記特定のローカルＩＰＤＣオペレータに関する情報は、前記該当ローカルＩＰＤＣオペレータに対するＥＳＧブートストラップをさらに含むことを特徴とする請求項３４に記載のＩＰＤＣをサポートするモバイル放送システムにおける端末に移動性をサポートするサーバ装置。
【請求項３６】
前記ＥＳＧブートストラップは、前記特定のローカルＩＰＤＣオペレータに対する別途のディスクリプタをさらに含むことを特徴する請求項３５に記載のＩＰＤＣをサポートするモバイル放送システムにおける端末に移動性をサポートするサーバ装置。
【請求項３７】
前記クエリメッセージ中の前記少なくとも一つのキー値は、前記特定のローカルＩＰＤＣオペレータのＩＰＤＣ  ＫＭＳ（Ｋｅｙ  Ｍａｎａｇｅｍｅｎｔ  Ｓｙｓｔｅｍ）識別子、ＩＰＤＣオペレータ識別子、及びＩＰフラットフォーム識別子の内の少なくとも一つを含むことを特徴とする請求項３４に記載のＩＰＤＣをサポートするモバイル放送システムにおける端末に移動性をサポートするサーバ装置。
【請求項３８】
前記制御部は、所定のＩＰプラットフォームと電子サービスガイド（ＥＳＧ）で端末に放送サービスを提供するローカルＩＰＤＣオペレータをリスト化し、前記ローカルＩＰＤＣオペレータの中でローミングパートナーを有するローカルＩＰＤＣオペレータに対するローミング情報を生成するように構成され、
前記クエリメッセージが前記ローミングパートナーとして前記特定のローカルＩＰＤＣオペレータに関する情報を要求するメッセージである場合、前記応答メッセージは、前記特定のローカルＩＰＤＣオペレータに関連した特定のＩＰプラットフォームとＥＳＧのうちの少なくとも一つを含むことを特徴とする請求項３４に記載のＩＰＤＣをサポートするモバイル放送システムにおける端末に移動性をサポートするサーバ装置。
【請求項３９】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムのサーバによって端末の移動性をサポートする方法であって、
放送サービスの利用と関連してローミングサービスの提供に従って分類されるアクセスタイプの電子サービスガイド（Ｅｌｅｃｔｒｏｎｉｃ  Ｓｅｒｖｉｃｅ  Ｇｕｉｄｅ：以下、ＥＳＧ）のタイプ情報を含む放送サービス情報を生成するステップと、
前記ＥＳＧのタイプ情報を含む放送サービス情報を伝送するステップとを具備することを特徴とするＩＰＤＣをサポートするモバイル放送システムのサーバによって端末の移動性をサポートする方法。
【請求項４０】
前記ＥＳＧのタイプ情報は、該当ＥＳＧが前記ローミングサービスを利用するローミングユーザーに対するものであるか、前記ローミングサービスを利用しないローカルユーザーに対するものであるかを示すことを特徴とする請求項３９に記載のＩＰＤＣをサポートするモバイル放送システムのサーバによって端末の移動性をサポートする方法。
【請求項４１】
前記放送サービス情報はＥＳＧブートストラップを含み、前記ＥＳＧのタイプ情報は前記ＥＳＧブートストラップに含まれることを特徴とする請求項３９に記載のＩＰＤＣをサポートするモバイル放送システムのサーバによって端末の移動性をサポートする方法。
【請求項４２】
前記ＥＳＧブートストラップは、前記ＥＳＧのタイプ情報に対する別途のディスクリプタをさらに含むことを特徴する請求項４１に記載のＩＰＤＣをサポートするモバイル放送システムのサーバによって端末の移動性をサポートする方法。
【請求項４３】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムの端末によって移動性をサポートする方法であって、
放送サービスに関連してローミングサービスの提供に従って分類されるアクセスタイプの電子サービスガイド（Ｅｌｅｃｔｒｏｎｉｃ  Ｓｅｒｖｉｃｅ  Ｇｕｉｄｅ：以下、ＥＳＧ）のタイプ情報を含む放送サービス情報をサーバから受信するステップと、
前記ＥＳＧのタイプ情報に基づいて所望されるＥＳＧを選択するステップとを具備することを特徴とするＩＰＤＣをサポートするモバイル放送システムの端末によって移動性をサポートする方法。
【請求項４４】
前記ＥＳＧのタイプ情報は、該当ＥＳＧが前記ローミングサービスを利用するローミングユーザーに対するものであるか、前記ローミングサービスを利用しないローカルユーザーに対するものであるかを示すことを特徴とする請求項４３に記載のＩＰＤＣをサポートするモバイル放送システムの端末によって移動性をサポートする方法。
【請求項４５】
前記放送サービス情報はＥＳＧブートストラップを含み、前記ＥＳＧのタイプ情報は前記ＥＳＧブートストラップに含まれ、
前記所望されるＥＳＧを選択するステップは、前記放送サービス情報に含まれた複数のＥＳＧの解析を行うことなしに前記所望されるＥＳＧを選択するステップをさらに含むことを特徴とする請求項４３に記載のＩＰＤＣをサポートするモバイル放送システムの端末によって移動性をサポートする方法。
【請求項４６】
前記ＥＳＧブートストラップは、前記ＥＳＧのタイプ情報に対する別途のディスクリプタをさらに含むことを特徴する請求項４５に記載のＩＰＤＣをサポートするモバイル放送システムの端末によって移動性をサポートする方法。
【請求項４７】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムにおける端末の移動性をサポートするサーバ装置であって、
放送サービスの利用に関連してローミングサービスの提供に従って分類されるアクセスタイプの電子サービスガイド（Ｅｌｅｃｔｒｏｎｉｃ  Ｓｅｒｖｉｃｅ  Ｇｕｉｄｅ：以下、ＥＳＧ）のタイプ情報を含む放送サービス情報を生成する制御部と、
前記ＥＳＧのタイプ情報を含む放送サービス情報を伝送する送信部とを有することを特徴とするＩＰＤＣをサポートするモバイル放送システムにおける端末の移動性をサポートするサーバ装置。
【請求項４８】
前記ＥＳＧのタイプ情報は、該当ＥＳＧが前記ローミングサービスを利用するローミングユーザーに対するものであるか、前記ローミングサービスを利用しないローカルユーザーに対するものであるかを示すことを特徴とする請求項４７に記載のＩＰＤＣをサポートするモバイル放送システムにおける端末の移動性をサポートするサーバ装置。
【請求項４９】
前記放送サービス情報はＥＳＧブートストラップを含み、前記ＥＳＧのタイプ情報は前記ＥＳＧブートストラップに含まれることを特徴とする請求項４７に記載のＩＰＤＣをサポートするモバイル放送システムにおける端末の移動性をサポートするサーバ装置。
【請求項５０】
前記ＥＳＧブートストラップは、前記ＥＳＧのタイプ情報に対する別途のディスクリプタをさらに含むことを特徴する請求項４９に記載のＩＰＤＣをサポートするモバイル放送システムにおける端末の移動性をサポートするサーバ装置。
【請求項５１】
ＩＰＤＣ（Ｉｎｔｅｒｎｅｔ  Ｐｒｏｔｏｃｏｌ  Ｄａｔａ  Ｃａｓｔｉｎｇ）をサポートするモバイル放送システムにおける移動性をサポートする端末装置であって、
放送サービスの利用に関連してローミングサービスの提供に従って分類されるアクセスタイプの電子サービスガイド（Ｅｌｅｃｔｒｏｎｉｃ  Ｓｅｒｖｉｃｅ  Ｇｕｉｄｅ：以下、ＥＳＧ）のタイプ情報を含む放送サービス情報をサーバから受信する受信部と、
前記ＥＳＧのタイプ情報に基づいて所望されるＥＳＧを選択する制御部とを有することを特徴とするＩＰＤＣをサポートするモバイル放送システムにおける移動性をサポートする端末装置。
【請求項５２】
前記ＥＳＧのタイプ情報は、該当ＥＳＧが前記ローミングサービスを利用するローミングユーザーに対するものであるか、前記ローミングサービスを利用しないローカルユーザーに対するものであるかを示すことを特徴とする請求項５１に記載のＩＰＤＣをサポートするモバイル放送システムにおける移動性をサポートする端末装置。
【請求項５３】
前記放送サービス情報はＥＳＧブートストラップを含み、前記ＥＳＧのタイプ情報は前記ＥＳＧブートストラップに含まれ、
前記制御部は、前記放送サービス情報に含まれた複数のＥＳＧの解析を行うことなしに前記所望されるＥＳＧを選択することを特徴とする請求項５１に記載のＩＰＤＣをサポートするモバイル放送システムにおける移動性をサポートする端末装置。
【請求項５４】
前記ＥＳＧブートストラップは、前記ＥＳＧのタイプ情報に対する別途のディスクリプタをさらに含むことを特徴する請求項５３に記載のＩＰＤＣをサポートするモバイル放送システムにおける移動性をサポートする端末装置。
【発明の詳細な説明】
【技術分野】
【０００１】
本発明はモバイル放送システムにおける移動性をサポートする方法及びその装置に関するもので、特に電子サービスガイド（Ｅｌｅｃｔｒｏｎｉｃ  Ｓｅｒｖｉｃｅ  Ｇｕｉｄｅ：以下、ＥＳＧ）を用いるモバイル放送システムで移動性をサポートする方法及びその装置に関する。
【背景技術】
【０００２】
図１に、ＣＢＭＳ（Ｃｏｎｖｅｒｇｅｎｃｅ  ｏｆ  Ｂｒｏａｄｃａｓｔ  ａｎｄ  Ｍｏｂｉｌｅ  Ｓｅｒｖｉｃｅ）システムの一般的な構成を示す。
図１に示すように、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）ネットワーク上のＩＰ（Ｉｎｔｅｒｎｅｔ  Ｐｒｏｔｏｃｏｌ）データキャストは、要求される性能を実現するために構成要素（ｅｎｔｉｔｉｅｓ）の集合を含む。
【０００３】
図１において、サービスアプリケーション部（ＳＡ）１１０は、特定のサービスアプリケーションを提供するために複数のコンテンツソースとそれらの関連メタデータ（ｍｅｔａｄａｔａ）からコンテンツを集める。
サービス管理システム１２０は、サービスに対する多様な管理を管理する数個のサブシステムを含む。
【０００４】
放送ネットワーク１３０と双方向（ｉｎｔｅｒａｃｔｉｖｅ）ネットワーク１３５は、ＣＢＭＳシステムでの伝送ベアラ（ｂｅａｒｅｒ）である。ＣＢＭＳシステムでの端末１４０は、放送ネットワーク１３０を通じてサービス及び信号伝達を受信し、双方向ネットワーク１３５を通じて双方向通信をする。図１で、機能構成要素は、符号１１０〜１４０で表し、ＤＶＢベースのＣＢＭＳシステムの実際上の範囲内にある。
【０００５】
図１において、符号Ｃ１〜Ｃ７は、各々ＣＢＭＳシステムで機能構成要素間の基準点、すなわちＣＢＭＳ−１〜ＣＢＭＳ−７に対応する。これら符号は、ＩＰデータキャスト範囲の基準点を表す。ここで、ＣＢＭＳ−１〜ＣＢＭＳ−４はＤＶＢベースのＣＢＭＳシステムで具体的に明示され、ＣＢＭＳ−５はＤＶＢベースのＣＢＭＳシステムでＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）まで明示されており、ＣＢＭＳ−６、ＣＢＭＳ−７は参照事項として考慮される。
【０００６】
ＣＢＭＳシステムにおいて、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｍａｔｉｏｎ）情報の伝送はＣＢＭＳ−１を通じて実現され、オーディオ／ビデオ（Ａ／Ｖ）ストリーム及びファイルの伝送はＣＢＭＳ−２を通じて実行され、ＥＳＧメタデータの伝送及びポイントツーマルチポイント（ｐ−ｔ−ｍ）伝送はＣＢＭＳ−３を通じて実行され、サービスアプリケーションへの接続制御、ＥＳＧメタデータの伝送、及びポイントツーポイント（ｐ−ｔ−ｐ）伝送はＣＢＭＳ−４を通じて実行され、ＳＭＳ（Ｓｈｏｒｔ  Ｍｅｓｓａｇｅ  Ｓｅｒｖｉｃｅ）／ＭＭＳ（Ｍｕｌｔｉｍｅｄｉａ  Ｍｅｓｓａｇｉｎｇ  Ｓｅｒｖｉｃｅ）、ＩＰ接続（ｃｏｎｎｅｃｔｉｖｉｔｙ）のような（ｐ−ｔ−ｐ）伝送サービスはＣＢＭＳ−５を通じて提供される。
【０００７】
さらに、ＣＢＭＳ−６は、サービス管理システム１２０と放送ネットワーク１３０との間の基準点であり、ＣＢＭＳ−７は、サービスアプリケーション部１１０とサービス管理システム１２０との間の基準点である。図１において、機能構成要素間の基準点であるＸ１〜Ｘ３は、ＤＶＢ−ＨでＩＰデータキャストの範囲外、すなわちＤＶＢベースのＣＭＢＳシステムの範囲外にある基準点を表す。
【０００８】
上述したＣＢＭＳシステムにおいて、端末のＥＳＧディスカバリメカニズムは次のようである。
１）端末はＰＳＩ／ＳＩを受信、
２）端末はＩＰプラットフォームを選択、
３）端末は選択されたＩＰプラットフォームに対するＥＳＧブートストラップ（ｂｏｏｔｓｔｒａｐ）を検索、読出し、
４）端末は、ＥＳＧブートストラップでＥＳＧプロバイダディスカバリディスクリプタ（Ｐｒｏｖｉｄｅｒ  Ｄｉｓｃｏｖｅｒｙ  Ｄｅｓｃｒｉｐｔｏｒ）とＥＳＧアクセスディスクリプタ（ＡｃｃｅｓｓＤｅｓｃｒｉｐｔｏｒ）によってＥＳＧを選択、
５）端末はＥＳＧを検索、読み出す。
【０００９】
ＥＳＧブートストラップは、ＥＳＧプロバイダディスカバリディスクリプタとＥＳＧアクセスディスクリプタを含み、与えられたＩＰプラットフォームでＥＳＧを提供するＥＳＧプロバイダとＥＳＧを取得する方法に関する情報を端末に提供する。
例えば、ＥＳＧブートストラップは、ＣＢＭＳシステムで図１のサービス管理システム１２０を通じて提供されることができる。端末は、ＥＳＧプロバイダディスカバリディスクリプタに基づいてブート（ｂｏｏｔ）するＥＳＧを選択し、ＥＳＧをブートするために関連したＥＳＧアクセスディスクリプタを解析（ｐａｒｓｅ）する。ＥＳＧアクセスディスクリプタはＥＳＧプロバイダディスカバリディスクリプタで指定されたＥＳＧプロバイダに関連した取得情報を指定する。
【００１０】
まず、端末は、一つのＩＰプラットフォームを選択した後に、そのＩＰプラットフォーム内でＥＳＧを選択する。ＥＳＧに記述されたサービスは、正確に一つのＩＰＤＣ（Ｉｎｔｅｒｎｅｔ  Ｐｒｏｔｏｃｏｌ  Ｄａｔａ  Ｃａｓｔｉｎｇ）オペレータ（ｏｐｅｒａｔｏｒ）に属することができ、この情報は取得フラグメント（ａｃｑｕｉｓｉｔｉｏｎ  ｆｒａｇｍｅｎｔ）に与えられる。これは、端末がＥＳＧを選択及び検索した後のみにそれぞれのサービスが属するＩＰＤＣオペレータをわかることを意味する。
【００１１】
現在、ＩＰＤＣオペレータは、ＩＰＤＣＫＭＳＩＤ（ＩＤＰＣ  Ｋｅｙ  Ｍａｎａｇｅｍｅｎｔ  Ｓｙｓｔｅｍ  ＩＤ）とＩＰＤＣＯｐｅｒａｔｏｒＩＤによって識別される。以後に識別子が変更されると、関連した識別子も、新たな識別子に代替されなければならない。ＩＰＤＣオペレータは、少なくとも一つの所定のＩＰプラットフォームとＥＳＧで端末に放送サービスを提供できる。
【００１２】
一般的に、一つのネットワークで、複数のＩＰプラットフォームがあり得る。
図２に示すように、それぞれのＩＰプラットフォーム２１１は、それ自体のＥＳＧブートストラップ２２０を有する。それぞれのＥＳＧブートストラップ２２０内には、複数のＥＳＧプロバイダ（図示せず）があり、各ＥＳＧプロバイダは複数のＥＳＧを提供する。それぞれのＥＳＧは、相互に異なるＩＰＤＣオペレータ２３５からのサービスを記述する。
【００１３】
上述した既存のＥＳＧ取得方法では、移動性問題が考慮されていない。
すなわち、図３に示すように、端末は、ＥＳＧブートストラップに対するＰＳＩ／ＳＩ（放送サービス情報）３１０でＩＰプラットフォーム３２０のうちいずれか一つを選択し、ＥＳＧブートストラップのＥＳＧプロバイダディスカバリディスクリプタ及びＥＳＧアクセスディスクリプタから提供されるＥＳＧプロバイダディスカバリディスクリプタ情報に基づいてＥＳＧプロバイダをチェックし、ＥＳＧプロバイダ３３０が提供するＥＳＧ３４０を選択する。ＥＳＧ３４０を検索、読み出した後に、端末は、使用可能なＩＰＤＣオペレータ情報３００を取得し、可能な一つのＩＰＤＣオペレータを選択する。
【００１４】
図４は、ＥＳＧを検索して読み出すための一般的な端末の動作を示すフローチャートである。
図４に示すように、端末は、ステップ４０５で放送サービス情報（ＰＳＩ／ＳＩ）を取得し、ステップ４１０で利用可能なＩＰプラットフォームを選択する。
【００１５】
端末は、ステップ４１５で、選択されたＩＰプラットフォームからＥＳＧブートストラップをする。端末は、ステップ４２０で、ＥＳＧプロバイダディスカバリディスクリプタ及びＥＳＧアクセスディスクリプタからＥＳＧを選択し、ステップ４２５でＥＳＧＦＬＵＴＥ（Ｆｉｌｅ  Ｄｅｌｉｖｅｒｙ  ｏｖｅｒ  Ｕｎｉｄｉｒｅｃｔｉｏｎａｌ  Ｔｒａｎｓｐｏｒｔ）セッションに接続して選択されたＥＳＧを取得する。
【００１６】
端末は、ステップ４３０で、ＥＳＧ内の利用可能なＫＭＳ（Ｋｅｙ  Ｍａｎａｇｅｍｅｎｔ  Ｓｙｓｔｅｍ）をサポートするか否かを判定する。ステップ４３０の判断結果、利用可能なＫＭＳをサポートすると判定されると、端末は、ステップ４３５で、利用可能なＩＰＤＣオペレータをサポートするか否かを判定する。ステップ４３５で利用可能なＩＰＤＣオペレータをサポートすると判定される場合、端末は、ステップ４４０で、一つのＩＰＤＣオペレータを選択した後に、ステップ４４５でサービスにアクセスし、あるいはサービスを購入する。
【００１７】
しかしながら、ステップ４３０で、端末が利用可能なＫＭＳをサポートしないと判定された場合には、端末は、ステップ４５０で、すべてのＥＳＧがチェックされたか否かを判定する。ステップ４５０ですべてのＥＳＧがチェックされていないと判定される場合に、端末は、ステップ４５５で、他のＥＳＧのチェックを所望するか否かを判定する。ステップ４５５で、他のＥＳＧの確認を所望すると判定される場合には、端末は、ステップ４２０に戻り、そうでない場合には動作を終了する。
【００１８】
一方、ステップ４５０の判定結果、すべてのＥＳＧがチェックされている場合には、端末は、ステップ４６０で、すべてのＩＰプラットフォームのＥＳＧブートストラップがチェックされたか否かを判定する。ステップ４６０で、すべてのＩＰプラットフォームのＥＳＧブートストラップがチェックされたと判定される場合に、端末は動作を終了する。そうでない場合、端末は、ステップ４６５に進行する。
ステップ４６５で、端末は、他のＩＰプラットフォームからの他のＥＳＧブートストラップのチェックを所望するか否かを判定する。ステップ４６５で、他のＥＳＧブートストラップのチェックを所望すると判定される場合に、端末は、ステップ４１０に戻る。そうでない場合には、その動作を終了する。
【００１９】
端末が指定されたＩＰＤＣオペレータからのみサービスを受信するように許与された場合（例えば、端末がそのＩＰＤＣオペレータと関連したサービスに対して登録された場合）、端末は、どのＥＳＧが指定されたＩＰＤＣオペレータに関連したサービス情報を有しているかがわからない。したがって、端末は、それぞれのＥＳＧブートストラップの情報を検索し、その指定されたＩＰＤＣオペレータと関連した予想サービスを探すまで、すべてのＥＳＧを解析するプロセスを遂行する必要がある。
【００２０】
特に、ローミングの場合に、端末は、外国に移動していて契約に基づいた所望のサービスを提供するＩＰＤＣオペレータを知ることが難しくなる。したがって、既存のＣＢＭＳ仕様によると、端末は、ローミングサービスを提供するＩＰＤＣオペレータを探索するように各々、そしてすべてのＥＳＧを検索及び解析するために、各々及びすべてのＥＳＧブートストラップ情報を検索する必要がある。
それによって、既存のＥＳＧ関連技術は、双方向（ｉｎｔｅｒａｃｔｉｖｅ）ＥＳＧをサポートできない。したがって、双方向ＥＳＧ関連技術で双方向ＥＳＧを提供するためのシステム及び方法に対する要求がある。
【発明の概要】
【発明が解決しようとする課題】
【００２１】
したがって、上記した従来技術の問題点を解決するために、本発明の目的は、モバイル放送システムにおける端末の移動性を効率的にサポートする方法及びその装置を提供することにある。
本発明の他の目的は、モバイル放送システムにおけるＩＰＤＣオペレータのローミング情報を提供する方法及びその装置を提供することにある。
また、本発明の目的は、モバイル放送システムにおけるＩＰＤＣオペレータに関する情報のクエリ（ｑｕｅｒｙ）を行うことができる方法及びその装置を提供することにある。
さらに、本発明の目的は、モバイル放送システムにおいてＥＳＧがローミングをサポートするか否かを確認できる方法及びその装置を提供することにある。
【００２２】
本発明の追加的な特徴及び長所は、続く詳細な説明で説明されることにより明らかになり、本発明の実施によってわかることであろう。本発明の上記目的及び他の利点は、以下の添付図面とともに詳細な説明及び特許請求の範囲で特に指摘した構成によって達成されることができる。
【課題を解決するための手段】
【００２３】
上記の目的を達成するために、本発明の一態様によれば、ＩＰＤＣをサポートするモバイル放送システムのサーバによって端末の移動性をサポートする方法であって、所定のＩＰプラットフォームと電子サービスガイド（ＥＳＧ）で端末に放送サービスを提供するローカルＩＰＤＣオペレータをリスト化するステップと、前記ローカルＩＰＤＣオペレータの中でローミングパートナーを有するローカルＩＰＤＣオペレータに対するローミング情報を生成するステップと、放送ネットワークを通じて前記ローミング情報を含む放送サービス情報を伝送するステップとを具備することを特徴とする。
【００２４】
本発明の他の態様によれば、ＩＰＤＣをサポートするモバイル放送システムの端末によって移動性をサポートする方法であって、所定のＩＰプラットフォームと電子サービスガイド（ＥＳＧ）で端末に放送サービスを提供するローカルＩＰＤＣオペレータに関する情報を含む放送サービス情報を放送ネットワークを通じて受信するステップと、前記ローカルＩＰＤＣオペレータの中からローミングパートナーを有するローカルＩＰＤＣオペレータに対するローミング情報を取得するために前記放送サービス情報を解析するステップと、前記端末が加入したローカルＩＰＤＣオペレータを通じて前記放送サービスを受信できない場合、前記取得されたローミング情報から前記加入したローカルＩＰＤＣオペレータを前記ローミングパートナーとして有する特定のローカルＩＰＤＣオペレータを探すステップと、前記特定のローカルＩＰＤＣオペレータを探し出した時、前記特定のローカルＩＰＤＣオペレータのＥＳＧを用いて前記放送サービスにアクセスするステップとを具備することを特徴とする。
【００２５】
また、本発明の他の態様によれば、ＩＰＤＣをサポートするモバイル放送システムにおける端末の移動性をサポートするサーバ装置であって、所定のＩＰプラットフォームと電子サービスガイド（ＥＳＧ）で端末に放送サービスを提供するローカルＩＰＤＣオペレータをリスト化し、前記ローカルＩＰＤＣオペレータのうちローミングパートナーを有するローカルＩＰＤＣオペレータに対するローミング情報を生成する制御部と、前記制御部によって生成された前記ローミング情報を含む放送サービス情報を放送ネットワークを通じて伝送する送信部とを有することを特徴とする。
【００２６】
さらに、本発明の他の態様によれば、ＩＰＤＣをサポートするモバイル放送システムにおける移動性をサポートする端末装置であって、所定のＩＰプラットフォームと電子サービスガイド（ＥＳＧ）で端末に放送サービスを提供するローカルＩＰＤＣオペレータに関する情報を含む放送サービス情報を放送ネットワークを通じて受信する受信部と、前記ローカルＩＰＤＣオペレータの中からローミングパートナーを有するローカルＩＰＤＣオペレータに対するローミング情報を取得するために前記放送サービス情報を解析し、前記端末が加入したローカルＩＰＤＣオペレータを通じて前記放送サービスを受信できない場合、前記取得されたローミング情報から前記加入したローカルＩＰＤＣオペレータを前記ローミングパートナーとして有する特定のローカルＩＰＤＣオペレータを探し、前記特定のローカルＩＰＤＣオペレータを探し出した時、前記特定のローカルＩＰＤＣオペレータのＥＳＧを用いて前記放送サービスにアクセスする制御部とを具備することを特徴とする。
【００２７】
また、本発明の他の態様によれば、ＩＰＤＣをサポートするモバイル放送システムの端末によって移動性をサポートする方法であって、所定のＩＰプラットフォームと電子サービスガイド（ＥＳＧ）で端末に放送サービスを提供するローカルＩＰＤＣオペレータの中で特定のローカルＩＰＤＣオペレータに関する情報の伝送を要求する少なくとも一つのキー値を含むクエリ（ｑｕｅｒｙ）メッセージを生成するステップと、前記特定のローカルＩＰＤＣオペレータに関する情報の伝送を要求する前記少なくとも一つのキー値を含むクエリメッセージを双方向チャンネルを介してサーバに伝送するステップと、前記クエリメッセージに応答して前記サーバから前記特定のローカルＩＰＤＣオペレータに関する情報を含む応答メッセージを受信するステップとを具備することを特徴とする。
【００２８】
また、本発明の他の態様によれば、ＩＰＤＣをサポートするモバイル放送システムのサーバによって端末に移動性をサポートする方法であって、所定のＩＰプラットフォームと電子サービスガイド（ＥＳＧ）で端末に放送サービスを提供するローカルＩＰＤＣオペレータのうち、特定のローカルＩＰＤＣオペレータに関する情報の伝送を要求する少なくとも一つのキー値を含む端末のクエリメッセージを双方向チャンネルを介して受信するステップと、前記端末から受信された前記クエリメッセージに応答して前記少なくとも一つのキー値に基づいて前記特定のローカルＩＰＤＣオペレータに関する情報を含む応答メッセージを生成して伝送するステップとを具備することを特徴とする。
【００２９】
また、本発明の他の態様によれば、ＩＰＤＣをサポートするモバイル放送システムにおける移動性をサポートする端末装置であって、所定のＩＰプラットフォームと電子サービスガイド（ＥＳＧ）で端末に放送サービスを提供するローカルＩＰＤＣオペレータのうち、特定のローカルＩＰＤＣオペレータに関する情報の伝送を要求する少なくとも一つのキー値を含むクエリメッセージを生成する制御部と、前記特定のローカルＩＰＤＣオペレータに関する情報の伝送を要求する前記少なくとも一つのキー値を含む前記クエリメッセージを双方向チャンネルを介してサーバに伝送する送信部と、前記クエリメッセージに応答して前記サーバから前記特定のローカルＩＰＤＣオペレータに関する情報を含む応答メッセージを受信する受信部とを有することを特徴とする。
【００３０】
さらに、本発明の他の態様によれば、ＩＰＤＣをサポートするモバイル放送システムにおける端末に移動性をサポートするサーバ装置であって、所定のＩＰプラットフォームと電子サービスガイド（ＥＳＧ）で端末に放送サービスを提供するローカルＩＰＤＣオペレータのうち特定のローカルＩＰＤＣオペレータに関する情報の伝送を要求する少なくとも一つのキー値を含む端末のクエリメッセージを双方向チャンネルを介して受信する受信部と、前記クエリメッセージに応答メッセージを伝送する送信部と、前記端末から受信された前記クエリメッセージに応答して前記少なくとも一つのキー値に基づいて前記特定のローカルＩＰＤＣオペレータに関する情報を含む応答メッセージを生成する制御部とを有することを特徴とする。
【００３１】
加えて、本発明の他の態様によれば、ＩＰＤＣをサポートするモバイル放送システムのサーバによって端末の移動性をサポートする方法であって、放送サービスの利用と関連してローミングサービスの提供に従って分類されるアクセスタイプの電子サービスガイド（ＥＳＧ）のタイプ情報を含む放送サービス情報を生成するステップと、前記ＥＳＧのタイプ情報を含む放送サービス情報を伝送するステップとを具備することを特徴とする。
【００３２】
さらに、本発明の他の態様によれば、ＩＰＤＣをサポートするモバイル放送システムの端末によって移動性をサポートする方法であって、放送サービスに関連してローミングサービスの提供に従って分類されるアクセスタイプの電子サービスガイド（ＥＳＧ）のタイプ情報を含む放送サービス情報をサーバから受信するステップと、前記ＥＳＧのタイプ情報に基づいて所望されるＥＳＧを選択するステップとを具備することを特徴とする。
【００３３】
また、本発明の他の態様によれば、ＩＰＤＣをサポートするモバイル放送システムにおける端末の移動性をサポートするサーバ装置であって、放送サービスの利用に関連してローミングサービスの提供に従って分類されるアクセスタイプの電子サービスガイド（ＥＳＧ）のタイプ情報を含む放送サービス情報を生成する制御部と、前記ＥＳＧのタイプ情報を含む放送サービス情報を伝送する送信部とを有することを特徴とする。
【００３４】
さらに、本発明の他の態様によれば、ＩＰＤＣをサポートするモバイル放送システムにおける移動性をサポートする端末装置であって、放送サービスの利用に関連してローミングサービスの提供に従って分類されるアクセスタイプの電子サービスガイド（ＥＳＧ）のタイプ情報を含む放送サービス情報をサーバから受信する受信部と、前記ＥＳＧのタイプ情報に基づいて所望されるＥＳＧを選択する制御部とを有することを特徴とする。
【発明の効果】
【００３５】
本発明は、ＩＰデータキャスティングをサポートするモバイル放送システムで端末の移動性を効率的にサポートすることができる。さらに、移動性が本発明によって端末に提供される場合、従来技術による端末はアクセス可能なＩＰＤＣオペレータ情報を探すためにすべてのＥＳＧブートストラップ内の情報だけでなくすべてのＥＳＧを取得及び探索をしなければならないが、本発明による端末は、ＥＳＧをより容易で迅速に取得できるという効果を有する。
【図面の簡単な説明】
【００３６】
【図１】一般的なＣＢＭＳシステムの構成を示す図である。
【図２】一般的なＥＳＧブートストラップの構成を示す図である。
【図３】ＥＳＧの一般的な探索プロセスを示す図である。
【図４】ＥＳＧを探索するための一般的な端末の動作を示すフローチャートである。
【図５】ＩＰプラットフォームとＩＰＤＣオペレータとの間のシナリオ１の一例を示す図である。
【図６】ＩＰプラットフォームとＩＰＤＣオペレータとの間のシナリオ２の一例を示す図である。
【図７】本発明によるシナリオ１でのＥＳＧブートストラップの解析の一例を示す図である。
【図８】本発明によるシナリオ２でのＥＳＧブートストラップの解析の一例を示す図である。
【図９】本発明の第１の実施形態を示す図である。
【図１０】本発明によるＥＳＧブートストラップの構成の一例を示す図である。
【図１１】本発明によるＥＳＧブートストラップセッションの構成の一例を示す図である。
【図１２】本発明の第１の実施形態による端末の動作を示すフローチャートである。
【図１３】本発明の第２の実施形態によるＥＳＧブートストラップの構成の一例を示す図である。
【図１４】本発明の第２の実施形態による要素間の関係を示す図である。
【図１５】本発明の第２の実施形態によるＩＰＤＣオペレータとＥＳＧとの間の関係を示す図である。
【図１６】本発明の第２の実施形態による端末の動作を示すフローチャートである。
【図１７】本発明の第３の実施形態によるシナリオ１に対する実施形態を示す図である。
【図１８】本発明の第３の実施形態によるシナリオ２に対する実施形態を示す図である。
【図１９Ａ】本発明の第３の実施形態による端末の動作を示すフローチャートである。
【図１９Ｂ】本発明の第３の実施形態による端末の動作を示すフローチャートである。
【図２０】本発明の第４の実施形態によるシナリオ１に対する実施形態を示す図である。
【図２１】本発明の第４の実施形態によるシナリオ２に対する実施形態を示す図である。
【図２２】本発明の第４の実施形態による端末の動作を示すフローチャートである。
【図２３】本発明の第５の実施形態を示す図である。
【図２４】本発明の第５の実施形態による端末の動作を示すフローチャートである。
【図２５】本発明の第６の実施形態を示す図である。
【図２６】本発明の第６の実施形態による端末の動作を示すフローチャートである。
【図２７】本発明による特定の領域に対するＥＳＧの一例を示す図である。
【図２８】本発明による特定のネットワークに対するＥＳＧの一例を示す図である。
【図２９】ＩＰＤＣ  ＫＭＳシステム及びＩＰＤＣオペレータの一例を示す図である。
【図３０】本発明の一実施形態によるローミングサービスの一例を示す図である。
【図３１】本発明の一実施形態によるローミングサービスの一例を示す図である。
【図３２】本発明の一実施形態による端末の動作を示すフローチャートである。
【図３３】本発明の一実施形態によるサーバの動作を示すフローチャートである。
【図３４】本発明の一実施形態によるローミング契約の一例を示す図である。
【図３５】本発明の一実施形態によるローカルＩＰＤＣオペレータ及びそのローミングパートナーの一例を示す図である。
【図３６】本発明の一実施形態によるモバイル放送システムのネットワーク構成を示す図である。
【図３７】本発明の一実施形態によるモバイル放送システムで端末構成の一例を示す図である。
【図３８】本発明の第９の実施形態による端末の動作を示すフローチャートである。
【図３９】本発明の第９の実施形態によるサーバの動作を示すフローチャートである。
【図４０】本発明の第９の実施形態によるサーバ動作を示すフローチャートである。
【図４１】本発明の第９の実施形態による端末の動作を示すフローチャートである。
【図４２】本発明によるＥＳＧアナウンスメントカルーセルの一例を示す図である。
【図４３】本発明の実施形態によるＥＳＧアナウンスメントカルーセルの一例を示す図である。
【図４４】本発明の実施形態によるＥＳＧアナウンスメントカルーセルの他の例を示す図である。
【図４５】本発明の実施形態によるＥＳＧアナウンスメントカルーセルの他の例を示す図である。
【発明を実施するための形態】
【００３７】
以下、本発明の望ましい実施形態を添付の図面を参照して詳細に説明する。
図面において、同一の構成要素に対してはできるだけ同一の参照符号及び参照番号を付して説明する。
【００３８】
本発明は、ＩＰＤＣ（ＩＰ  Ｄａｔａ  Ｃａｓｔｉｎｇ）をサポートするデジタルモバイル放送システムにおいて、端末がより迅速で容易に適切なＥＳＧを取得するようにする方法及びシステムを提供する。
下記の実施形態ではＤＶＢ−Ｈベースのデジタルモバイル放送システムに関連して一例を挙げて説明したが、本発明は、ＩＰＤＣをサポートする多様なデジタルモバイル放送システムに適用されることができる。ここで、使用される用語“放送サービス情報”は、ＰＳＩ／ＳＩを意味する。本発明によれば、ＥＳＧブートストラップとローミング情報は、このＰＳＩ／ＳＩに含まれ、ＥＳＧタイプ情報のような個々の情報も放送サービス情報の部分となると理解できる。
【００３９】
上述したＥＳＧディスカバリ方式に対する方法及びシステムを説明するに先立って、多様なシナリオが考えられる。ＩＰプラットフォームとＩＰＤＣオペレータとの間の関係に基づき、運営シナリオは、２つの一般的なカテゴリに分類することができる。
【００４０】
＜シナリオ１＞
このシナリオでは、放送サービス情報（ＰＳＩ／ＳＩ）が一つ以上のＩＰプラットフォーム及びネットワークに一つ以上のＩＰＤＣオペレータを含み、それぞれのＩＰＤＣオペレータは、一つのＩＰプラットフォームにのみ存在する。言い換えれば、特定のＩＰＤＣオペレータは、一つ以上のＩＰプラットフォームで存在しない。
【００４１】
図５に、ＩＰプラットフォームとＩＰＤＣオペレータとの間のシナリオ１の一例を示す。
図５に示すように、ＩＰプラットフォームＡ５１０及びＩＰプラットフォームＢ５２０の２個のＩＰプラットフォームを説明の簡素化のために示す。
そして、説明の簡素化のために、４個のＩＰＤＣオペレータ、すなわちＩＰＤＣオペレータＩ５３０、ＩＰＤＣオペレータＩＩ５４０、ＩＰＤＣオペレータＩＩＩ５５０、及びＩＰＤＣオペレータＩＶ５６０を示す。
【００４２】
各ＩＰＤＣオペレータは、一つのＩＰプラットフォームのみに関係している。すなわち、ＩＰＤＣオペレータＩ５３０とＩＰＤＣオペレータＩＩ５４０は、ＩＰプラットフォームＡ５１０と関連しており、ＩＰＤＣオペレータＩＩＩ５５０とＩＰＤＣオペレータＩＶ５６０はＩＰプラットフォームＢ５２０と関連している。
【００４３】
＜シナリオ２＞
このシナリオでは、放送サービス情報（ＰＳＩ／ＳＩ）は一つ以上のＩＰプラットフォームと、ネットワークに一つ以上のＩＰＤＣオペレータとを含み、ＩＰＤＣオペレータが同時に一つ以上のＩＰプラットフォームに存在できる。言い換えれば、特定のＩＰＤＣオペレータが複数のＩＰプラットフォームに存在できる。
【００４４】
図６には、ＩＰプラットフォームとＩＰＤＣオペレータとの間のシナリオ２の一例を示す。
図６に示すように、説明の簡素化のために、ＩＰプラットフォームＡ６１０とＩＰプラットフォームＢ６２０の２個のＩＰプラットフォームがある。説明の簡素化のために、３個のＩＰＤＣオペレータ、すなわちＩＰＤＣオペレータＩ６３０、ＩＰＤＣオペレータＩＩ６４０、及びＩＰＤＣオペレータＩＩＩ６５０を示す。
各ＩＰＤＣオペレータは、一つ以上のＩＰプラットフォームに関連させることができる。例えば、ＩＰＤＣオペレータＩＩ６４０は、ＩＰプラットフォームＡ６１０とＩＰプラットフォームＢ６２０とともに関連している。
【００４５】
上記した２個のシナリオに基づき、本発明は、ＥＳＧディスカバリに対し、以下の実施形態を提供する。
本発明の実施形態において、ＩＰＤＣオペレータ情報は、ＥＳＧブートストラップに含まれる。さらに、対応するＩＰプラットフォームに存在するＩＰＤＣオペレータの個数に関係なく、ＥＳＧブートストラップは、それぞれのＩＰプラットフォームに対するユニットであると仮定する。
【００４６】
一般的に、端末は、ＥＳＧブートストラップに対する自身のＩＰＤＣオペレータを包含するＩＰプラットフォームのみを選択する必要がある。しかしながら、端末が必要とするＩＰプラットフォームを知る方法、すなわち自分のＩＰＤＣオペレータを含んでいるＩＰプラットフォームを知る方法は、難しい問題である。
端末は、デジタルモバイル放送システムの供給チャンネル（ｐｒｏｖｉｓｉｏｎｉｎｇ  ｃｈａｎｎｅｌ）又は一部の特定シグナリングチャンネルによって、あるいは双方向チャンネルを介してその情報を取得することができる。
【００４７】
しかしながら、ＩＰプラットフォーム７１０、７５０がそのＩＰＤＣオペレータ（すなわち、ＩＰＤＣオペレータ７２０、７３０、７６０、７７０のうちいずれか一つ）を含んでいるかをわからない場合に、端末は、図７に示すように、本発明がシナリオ１に適用される場合、それぞれのＩＰプラットフォーム７１０、７５０からのＥＳＧブートストラップ情報７４０、７８０の各々を解析する必要がある。
【００４８】
シナリオ２では、図８に示すように、端末は、それぞれのＩＰＤＣオペレータ８２０、８３０、８６０が一つ以上のＩＰプラットフォーム８１０、８５０に含まれることができるので、一つ以上のＥＳＧブートストラップ情報を解析する必要がある。
ＩＰＤＣオペレータが属するＩＰプラットフォームに関する事前情報がない場合、端末は、ＩＰプラットフォームのすべてから、すべてのＥＳＧブートストラップを通じて解析する必要がある。
【００４９】
しかしながら、各ＩＰＤＣオペレータが属するＩＰプラットフォームに関する事前情報がある場合には、端末は、そのようなＩＰプラットフォームから指示されたＥＳＧブートストラップ情報を検索すれば良い。もちろん、同一のＩＰＤＣオペレータが一つ以上のＩＰプラットフォームにある場合、端末は、複数のＩＰプラットフォームから一つ以上のＥＳＧブートストラップ情報を検索する必要がある。
以下の本発明による実施形態において、ＩＰＤＣオペレータ情報はＥＳＧブートストラップで示される。
【００５０】
＜第１の実施形態＞
図９は、本発明による第１の実施形態を示す図である。
図９に示すように、ＥＳＧブートストラップは、ＥＳＧプロバイダディスカバリディスクリプタ（９１０−１、…、９１０−ｍ）と、ＥＳＧアクセスディスクリプタ（９２０−１−１、…、９２０−ｍ−ｎ）とのディスクリプタを含み、ＩＰＤＣオペレータ（９３０−１、…、９３０−Ｋ）が各ＥＳＧプロバイダ／ＥＳＧに関連していることを追加的に示す。このように、端末は、期待されるＩＰＤＣオペレータに関連したＥＳＧのみを検索しなければならない。
【００５１】
本発明の範囲から逸脱しない範囲で、このブートストラップでのＩＰＤＣオペレータ情報の位置は多様である。
例えば、ＥＳＧブートストラップでＩＰＤＣオペレータ情報を含む多様な構成は、表１に示すようにＥＳＧプロバイダディスカバリディスクリプタにＩＰＤＣオペレータ情報を追加し、表６〜表１１のようにＥＳＧアクセスディスクリプタにＩＰＤＣオペレータ情報を追加し、又は表１２及び図１１に示すようにＩＰＤＣオペレータ情報を提供する新たなディスクリプタを追加することによって多様な方式が可能である。
加えて、双方向ＥＳＧブートストラップは、本発明の範囲を外れない限り、いくつかの相違点があり、多様な変更を有することができる。
【００５２】
図１０は、本実施形態による、ＩＰＤＣオペレータ情報が多様な位置に含まれるＥＳＧブートストラップの構成一例を示す。
図１０に示すような例において、ＩＰＤＣオペレータ１０１３に関する情報は、ＥＳＧブートストラップ１０１０に書き込まれる。ＥＳＧブートストラップ１０１０に含まれるＥＳＧプロバイダディスカバリディスクリプタ１０１１の例は、下記の表１に示す。
【表１】
2011509625.tif 000003
【００５３】
ＩＰＤＣＴｙｐｅが定義されるので、下記の表２はその一例として示す。
【表２】
2011509625.tif 000004
【００５４】
また、ＩＰＤＣＴｙｐｅは、表３に示すように表現される。
【表３】
2011509625.tif 000005
【００５５】
より正確を期せば、表４のように書き換えることができる。
【表４】
2011509625.tif 000006
【００５６】
“ＩＰＤＣＯｐｅｒａｔｏｒＩｄ”を指示することができない場合、“ＩＰＤＣＫＭＳＩｄ”でも端末がＥＳＧをフィルタリングすることを助けるのに使用することができる。この場合、ＩＰＤＣＴｙｐｅの一例は表５に示す。
【表５】
2011509625.tif 000007
【００５７】
ＥＳＧブートストラップ１０１０に含まれるＥＳＧアクセスディスクリプタ１０１２の構文（ｓｙｎｔａｘ）にＩＰＤＣオペレータ情報を提供する本発明によるエレメントを追加する多様な例が可能であるが、限定されない３つの例を説明のために提供する。
【００５８】
１）ＥＳＧアクセスディスクリプタ１０１２の第１の構文例
【表６】
2011509625.tif 000008
あるいは、表７に示すように定義される。
【表７】
2011509625.tif 000009
【００５９】
２）ＥＳＧアクセスディスクリプタ１０１２の第２の構文例
【表８】
2011509625.tif 000010
又は、表９に示すように定義される。
【表９】
2011509625.tif 000011
【００６０】
３）ＥＳＧアクセスディスクリプタ１０１２の第３の構文例
【表１０】
2011509625.tif 000012
あるいは、表１１に示すように定義される。
【表１１】
2011509625.tif 000013
【００６１】
本実施形態においては、図１０に示すようにＥＳＧブートストラップセッションにＩＰＤＣオペレータ情報を含む新たなディスクリプタ１０１３を追加することができる。この新たなディスクリプタは、それぞれのＥＳＧプロバイダ及び／又はＥＳＧのＩＰＤＣオペレータに関する情報を搬送する。
【表１２】
2011509625.tif 000014
【００６２】
図１１は、ＩＰＤＣオペレータ情報を含む新たなディスクリプタ１１１０がＥＳＧブートストラップセッションに含まれる実施形態を示す。
新たなディスクリプタ１１１０は、それぞれのＥＳＧプロバイダ及び／又はＥＳＧのＩＰＤＣオペレータに関する情報を搬送する。
図１１で“ｘｘ．ｘｘ．ｘｘ．ｘｘ：ｘｘｘｘ”の表現は、“ＩＰアドレス：ポート番号”を意味する。
【００６３】
図１２を参照して、本実施形態における端末の動作について説明する。
図１２に示すように、端末は、ステップ１２０５で放送サービス情報（ＰＳＩ／ＳＩ）を取得し、ステップ１２１０で利用可能なＩＰプラットフォームを選択する。端末は、ステップ１２１５で、選択されたＩＰプラットフォームからＥＳＧブートストラップを行い、ステップ１２２０で、ＥＳＧプロバイダディスカバリディスクリプタ及びＥＳＧアクセスディスクリプタからすべての利用可能なＥＳＧを認知する。
【００６４】
端末は、ステップ１２２５で、各ＥＳＧに対するＩＰＤＣオペレータをチェックし、ステップ１２３０で、ＥＳＧ内で利用可能なＫＭＳをサポートするか否かを判断する。ステップ１２３０の判断の結果、利用可能なＫＭＳをサポートする場合、端末は、ステップ１２３５で、利用可能なＩＰＤＣオペレータをサポートするか否かを判断する。
【００６５】
ステップ１２３５で利用可能なＩＰＤＣオペレータをサポートすると判断された場合、端末は、ステップ１２４０で、一つのＩＰＤＣオペレータを選択する。
端末は、ステップ１２４５で、選択されたＩＰＤＣオペレータを有する一つのＥＳＧを選択してアクセスした後に、ステップ１２５０でサービスにアクセスし、あるいはサービスを購入する。
【００６６】
一方、ステップ１２３０で、端末が利用可能なＫＭＳをサポートしないと判断された場合、端末は、ステップ１２５５で、すべてのＩＰプラットフォームのＥＳＧブートストラップがチェックされたか否かを判断する。ステップ１２５５ですべてのＩＰプラットフォームのＥＳＧブートストラップがチェックされたと判断された場合、端末は、その動作を終了する。チェックが完了していない場合には、端末は、ステップ１２６０で、他のＩＰプラットフォームからの他のＥＳＧブートストラップのチェックを所望するか否かを判断する。その判断の結果、ステップ１２６０で端末がチェックを必要とすると、端末は、ステップ１２１０に戻る。そうでない場合、端末は、その動作を終了する。
【００６７】
＜第２の実施形態＞
第２の実施形態では、ＩＰＤＣオペレータ情報はブートストラップレベルで指示され、ＥＳＧブートストラップ情報は異なるＩＰＤＣオペレータによって分類される。
上述したように、端末は、ＥＳＧプロバイダを選択し、ＥＳＧプロバイダディスカバリディスクリプタとＥＳＧアクセスディスクリプタを解析することによって、ＥＳＧプロバイダを有する一つのＥＳＧを選択する。その後、端末は、一つのＥＳＧを検索した後にＥＳＧ内のＩＰＤＣオペレータをチェックする。
【００６８】
本実施形態において、ＩＰＤＣオペレータと関連した新たなディスクリプタ１３１１は、ＥＳＧブートストラップ１３１０に加えられ、ＥＳＧプロバイダ及び／又はＥＳＧ情報はそれぞれのＩＰＤＣオペレータに基づいて分類される。
図１３は、本実施形態による構成の一例を示す。
図１４は、ＥＳＧブートストラップのディスクリプタに含まれる構成要素（ｅｎｔｉｔｉｅｓ）と、それらの関係を示す構成の一例を示す。
【００６９】
図１４に示すように、本実施形態では、前述の実施形態でＥＳＧプロバイダディスカバリディスクリプタ及びＥＳＧアクセスディスクリプタをまずチェックするのとは異なり、ＩＰＤＣオペレータ情報をまずチェックした後に、ＥＳＧプロバイダディスカバリディスクリプタ及びＥＳＧアクセスディスクリプタをチェックする。本実施形態において、ＥＳＧは、固有に識別することができる。したがって、ＩＰＤＣオペレータとＥＳＧとの関係は、図１５に示すように直接に指示されることができる。
【００７０】
ＥＳＧブートストラップ１３１０に追加される新たなディスクリプタ１３１１の構文の一例は、次のようである。
【表１３】
2011509625.tif 000015
【００７１】
各ＩＰＤＣオペレータは一つ以上のＥＳＧと関連しているため、表１４に示すように定義される。
【表１４】
2011509625.tif 000016
【００７２】
ＩＰＤＣＯｐｅｒａｔｏｒＴｙｐｅの例は、表１５のようである。
【表１５】
2011509625.tif 000017
より具体的には、表１６に示すように定義される。
【表１６】
2011509625.tif 000018
【００７３】
図１６を参照して、本実施形態による端末の動作について説明する。
図１６に示すように、端末は、ステップ１６０５で放送サービス情報（ＰＳＩ／ＳＩ）を取得し、ステップ１６１０で利用可能なＩＰプラットフォームを選択する。端末は、ステップ１６１５で、選択されたＩＰプラットフォームからのＥＳＧブートストラップを行う。ステップ１６２０で、端末は、ＩＰＤＣオペレータディスクリプタによってＥＳＧのすべての利用可能なＩＰＤＣオペレータ情報を認知する。
【００７４】
端末は、ステップ１６２５で、ＥＳＧ内の利用可能なＫＭＳをサポートするか否かを判断する。ステップ１６２５で、端末が利用可能なＫＭＳをサポートすると判断された場合に、端末は、ステップ１６３０で、利用可能なＩＰＤＣオペレータをサポートするか否かを判断する。
ステップ１６３０で、端末が利用可能なＩＰＤＣオペレータをサポートすると判定された場合、端末は、ステップ１６３５で、利用可能なＩＰＤＣオペレータのうちのいずれか一つを選択する。
【００７５】
端末は、ステップ１６４０で、ＥＳＧプロバイダディスカバリディスクリプタ及びＥＳＧアクセスディスクリプタから選択されたＩＰＤＣオペレータに関連したＥＳＧを選択し、ステップ１６４５でＥＳＧにアクセスし、ステップ１６５０でサービスにアクセスし、あるいはサービスを購入する。
【００７６】
一方、ステップ１６２５で、端末が利用可能なＫＭＳをサポートしていないと判断された場合、端末は、ステップ１６５５で、すべてのＩＰプラットフォームのＥＳＧブートストラップがチェックされたか否かを判断する。ステップ１６５５の判断の結果、チェックが完了している場合は、端末はその動作を終了する。もし、チェックが完了していない場合には、端末は、ステップ１６６０で他のＩＰプラットフォームからの他のＥＳＧブートストラップのチェックを所望するか否かを判断する。ステップ１６６０で端末がチェックを所望すると判断される場合に、端末は、ステップ１６１０に戻る。そうでない場合には、端末はその動作を終了する。
【００７７】
次の実施形態においては、ＩＰＤＣオペレータ情報は放送サービス情報（ＰＳＩ／ＳＩ）で指示され得る。前述の実施形態では、端末は、ＥＳＧブートストラップに付加されたＩＰＤＣオペレータ情報から端末がＩＰＤＣオペレータ情報を取得した。しかしながら、ＩＰＤＣオペレータ情報がＥＳＧブートストラップレベルで指示されるため、端末は、期待されるＩＰＤＣオペレータ情報を探すまですべてのＥＳＧブートストラップ情報を検索する必要なしに、どのＥＳＧブートストラップがそのＩＰＤＣオペレータ情報を含んでいるかを知らない。したがって、下記の実施形態では、ＩＰＤＣオペレータ情報が放送サービス情報（ＰＳＩ／ＳＩ）レベルで指示される。
【００７８】
＜第３の実施形態＞
本実施形態では、ＥＳＧブートストラップは、該当ＩＰプラットフォームに存在するＩＰＤＣオペレータの個数に関係なく、それぞれのＩＰプラットフォームに対するユニットである。一つのＩＰプラットフォーム内に一つ以上のＩＰＤＣオペレータがある場合、ＥＳＧブートストラップは、そのＩＰプラットフォームのＩＰＤＣオペレータの各々に対して分離される。
【００７９】
ＥＳＧブートストラップがどのＩＰＤＣオペレータに対するものであるかを記述するために、新たなＩＰＤＣオペレータディスクリプタは、次の例に示すように放送サービス情報（ＰＳＩ／ＳＩ）のＩＮＴ（ＩＰ／ＭＡＣ  Ｎｏｔｉｆｉｃａｔｉｏｎ  Ｔａｂｌｅ）に追加される。
【表１７】
2011509625.tif 000019
【００８０】
新たなＩＰＤＣオペレータディスクリプタの例示的な構文は、次の通りである。
【表１８】
2011509625.tif 000020
【００８１】
図１７は、図５に示したシナリオ１に対する本発明による第３の実施形態を示す。
端末がどのＩＰプラットフォームがＥＳＧブートストラップに対する自身のＩＰＤＣオペレータを含むかを既に知っている場合、端末は、このＩＰプラットフォームのＩＰＤＣオペレータに対するＥＳＧブートストラップを選択できる。また、端末がどんなＩＰプラットフォームがそのＩＰＤＣオペレータを含んでいるか知らない場合でも、端末は、それを探すまで各ＩＰプラットフォームでＩＰＤＣオペレータ情報を探索できる。
【００８２】
図１８は、図６に示したシナリオ２に対する本発明による第３の実施形態を示す。端末は、同一のＩＰＤＣオペレータが一つ以上のＩＰプラットフォームに存在する場合に、一つ以上のＥＳＧブートストラップ情報を検索する必要がある。したがって、このＩＰＤＣオペレータに対する一つ以上のＥＳＧブートストラップは、相互に異なるＩＰプラットフォームにある。
【００８３】
図１９Ａ及び図１９Ｂを参照して、本実施形態による端末の動作について説明する。
図１９Ａ及び図１９Ｂに示すように、端末は、ステップ１９０５で、放送サービス情報（ＰＳＩ／ＳＩ）を取得し、ステップ１９１０で利用可能なＩＰプラットフォームを選択及び解析する。端末は、ステップ１９１５で、それぞれのＩＰプラットフォームに対するＩＰＤＣオペレータ情報をチェックする。
【００８４】
ステップ１９２０で、端末は、ＥＳＧ内の利用可能なＫＭＳをサポートするか否かを判断する。ステップ１９２０で、端末が利用可能なＫＭＳをサポートすると判断された場合に、端末は、ステップ１９２５で利用可能なＩＰＤＣオペレータをサポートするか否かを判断する。ステップ１９２５で、端末が利用可能なＩＰＤＣオペレータをサポートすると判断された場合、端末は、ステップ１９３０で、ＥＳＧブートストラップに対してサポートされるＩＰＤＣオペレータを有するＩＰプラットフォームを選択する。
【００８５】
端末は、ステップ１９３５で、ＥＳＧブートストラップのＥＳＧプロバイダディスカバリディスクリプタ及びＥＳＧアクセスディスクリプタからＥＳＧを選択し、ステップ１９４０で選択されたＥＳＧにアクセスする。ステップ１９４５で、端末は、ＥＳＧ内の利用可能なＫＭＳをサポートするか否かを判断する。ステップ１９４５で、端末が利用可能なＫＭＳをサポートすると判断された場合、端末は、ステップ１９５０で、利用可能なＩＰＤＣオペレータをサポートするか否かを判断する。ステップ１９５０で、端末が利用可能なＩＰＤＣオペレータをサポートすると判断された場合、端末は、ステップ１９５５で、一つのＩＰＤＣオペレータを選択した後に、ステップ１９６０でサービスにアクセスし、あるいはサービスを購入する。
【００８６】
しかしながら、ステップ１９４５で、端末が利用可能なＫＭＳをサポートしないと判断された場合、端末は、ステップ１９６５で、すべてのＥＳＧがチェックされたか否かを判断する。ステップ１９６５の判断の結果、すべてのＥＳＧがチェックされていないと、端末は、ステップ１９７０で、他のＥＳＧのチェックを所望するか否かを判断する。ステップ１９７０で他のＥＳＧのチェックを所望すると判断された場合、端末は、ステップ１９４０に戻る。そうでない場合、端末はその動作を終了する。
【００８７】
一方、ステップ１９６５ですべてのＥＳＧがチェックされたと判断された場合、端末は、ステップ１９７５で、すべてのＩＰプラットフォームのＥＳＧブートストラップがチェックされたか否かを判断する。ステップ１９７５で、すべてのＩＰプラットフォームのＥＳＧブートストラップがチェックされたと判断された場合、端末はその動作を終了する。そうでない場合、端末はステップ１９８０に進行する。
ステップ１９８０で、端末は、他のＩＰプラットフォームからの他のＥＳＧブートストラップのチェックを所望するか否かを判断する。ステップ１９８０で、他のＥＳＧブートストラップのチェックを所望すると判断された場合、端末は、ステップ１９３０に戻る。そうでない場合、端末は動作を終了する。
【００８８】
本実施形態は、前述の実施形態と結合することができる。言い換えれば、ＩＰＤＣオペレータ情報は、放送サービス情報（ＰＳＩ／ＳＩ）レベルとＥＳＧブートストラップレベルとで指示される。したがって、ＰＳＩ／ＳＩレベルでＩＰＤＣオペレータ情報から、端末は、どのＩＰプラットフォームが自身のＩＰＤＣオペレータを含んでいるかが分かり、ＥＳＧブートストラップに対して一つを選択できる。ＥＳＧブートストラップレベルでは、追加されるＩＰＤＣオペレータ情報は、端末が自身のＩＰＤＣオペレータを有するＥＳＧを選択するように助ける。しかしながら、一つのＥＳＧブートストラップに一つ以上のＩＰＤＣオペレータがあるため、端末は、各ＥＳＧに対するＩＰＤＣオペレータを区別する必要がある。
【００８９】
＜第４の実施形態＞
本実施形態において、ＥＳＧブートストラップはそれぞれのＩＰプラットフォームの各ＩＰＤＣオペレータに対するユニットであると仮定する。一つのＩＰプラットフォーム内に一つ以上のＩＰＤＣオペレータがある場合、ＥＳＧブートストラップは、このＩＰプラットフォームの各ＩＰＤＣオペレータに対して分離される。
【００９０】
ＥＳＧブートストラップがどんなＩＰＤＣオペレータに対するものであるかを記述するために、新たなＩＰＤＣオペレータディスクリプタは、下記の例に示すようにＰＳＩ／ＳＩのＩＮＴに追加される。
【表１９】
2011509625.tif 000021
追加されたディスクリプタの構文例は、次のようである。
【表２０】
2011509625.tif 000022
【００９１】
図２０は、上述したシナリオ１に適用される本発明の第４の実施形態を示す。端末がどのＩＰプラットフォームがＥＳＧブートストラップに対するそのＩＰＤＣオペレータを含むかを既に知っている場合、端末は、そのＩＰプラットフォームの自身のＩＰＤＣオペレータに対するＥＳＧブートストラップを選択できる。また、どのＩＰプラットフォームが自分のＩＰＤＣオペレータを含むか知らない場合でも、端末は、これを探すまでそれぞれのＩＰプラットフォームでＩＰＤＣオペレータ情報を探索できる。
【００９２】
図２１は、上述したシナリオ２に適用される本発明の第４の実施形態を示す。同一のＩＰＤＣオペレータが一つ以上のＩＰプラットフォームに存在すると、端末は、一つ以上のＥＳＧブートストラップ情報を検索する必要がある。したがって、このＩＰＤＣオペレータに対する一つ以上のＥＳＧブートストラップは相互に異なるＩＰプラットフォームにある。
【００９３】
図２２を参照して、本実施形態による端末の動作について説明する。
図２２に示すように、端末は、ステップ２２０５で放送サービス情報（ＰＳＩ／ＳＩ）を取得し、ステップ２２１０で利用可能なＩＰプラットフォームを選択及び解析する。端末は、ステップ２２１５で、ＩＰＤＣオペレータディスクリプタによってＥＳＧのすべての利用可能なＩＰＤＣオペレータ情報をチェックする。
【００９４】
ステップ２２２０で、端末は、ＥＳＧ内の利用可能なＫＭＳをサポートするか否かを判断する。ステップ２２２０で、端末が利用可能なＫＭＳをサポートすると判断された場合に、端末は、ステップ２２２５で利用可能なＩＰＤＣオペレータをサポートするか否かを判断する。
ステップ２２２５で、端末が利用可能なＩＰＤＣオペレータをサポートすると判断された場合、端末は、ステップ２２３０で、一つのＩＰＤＣオペレータを選択する。
【００９５】
ステップ２２３５で、端末は、一つのＩＰプラットフォームで選択されたＩＰＤＣオペレータからＥＳＧブートストラップを行う。端末は、ステップ２２４０で、ＥＳＧブートストラップのＥＳＧプロバイダディスカバリディスクリプタ及びＥＳＧアクセスディスクリプタから選択されたＩＰＤＣオペレータと関連したＥＳＧを選択し、ステップ２２４５で、ＥＳＧにアクセスする。端末は、ステップ２２５０で、サービスにアクセスし、あるいはサービスを購入する。
【００９６】
一方、ステップ２２２０で、端末が利用可能なＫＭＳをサポートしないと判断される場合、端末は、ステップ２２５５で、すべてのＩＰプラットフォームのＥＳＧブートストラップがチェックされたか否かを判断する。ステップ２２５５の判断の結果、チェックが完了している場合、端末は、その動作を終了する。チェックが完了していない場合、端末は、ステップ２２６０で、他のＩＰプラットフォームからの他のＥＳＧブートストラップのチェックを所望するか否かを判断する。ステップ２２６０で端末がチェックを所望すると判断される場合、端末はステップ２２１０に戻る。そうでない場合、端末は、動作を終了する。
【００９７】
以下の実施形態において、ＥＳＧブートストラップはそれぞれのＩＰＤＣオペレータに対するユニットであり、ＩＰＤＣオペレータ情報は放送サービス情報（ＰＳＩ／ＳＩ）に含まれる。
これら実施形態は、次のように仮定する。
１）ＥＳＧブートストラップは各ＩＰＤＣオペレータに対するユニットである。
２）同一のＩＰＤＣオペレータは、相互に異なるＩＰプラットフォームに存在することができ、端末は、すべてのＩＰＤＣオペレータ関連ＥＳＧ情報を検索しようとする場合に一つ以上のＥＳＧブートストラップ情報を検索する必要がある。
３）ＥＳＧブートストラップはＩＰＤＣオペレータに変更される。
【００９８】
＜第５の実施形態＞
図２３に示すように、各々のＩＰＤＣオペレータは、本実施形態で自身のユニットＥＳＧブートストラップを有する。したがって、新たなＥＳＧブートストラップディスクリプタは、放送サービス情報（ＰＳＩ／ＳＩ）に定義され追加されることができる。このような新たなディスクリプタにおいて、ＩＰＤＣオペレータディスクリプタは、どんなＩＰＤＣオペレータからＥＳＧブートストラップがあるかを記述する。ＥＳＧブートストラップのＩＰアドレスは、そのＩＰＤＣオペレータに対するＥＳＧブートストラップのＩＰアドレスとポート番号を記述する。
【００９９】
ＥＳＧブートストラップディスクリプタは、すべてのＩＰＤＣオペレータに対するＥＳＧブートストラップ情報をリスト化するためにループをなすことができる。その一例を示すと、次のようである。
【表２１】
2011509625.tif 000023
【０１００】
図２４を参照して、本発明の第５の実施形態による端末の動作について説明する。
図２４に示すように、端末は、ステップ２４０５で放送サービス情報（ＰＳＩ／ＳＩ）を取得し、ステップ２４１０で利用可能なＩＰプラットフォームを解析する。端末は、ステップ２４１５で、ＥＳＧブートストラップディスクリプタでＩＰＤＣオペレータを解析し、ステップ２４２０で、端末がＥＳＧ内の利用可能なＫＭＳをサポートするか否かを判断する。ステップ２４２０で、端末が利用可能なＫＭＳをサポートすると判断された場合、端末は、ステップ２４２５で利用可能なＩＰＤＣオペレータをサポートするか否かを判断する。
【０１０１】
ステップ２４２５で、端末が利用可能なＩＰＤＣオペレータをサポートすると判断された場合、端末は、ステップ２４３０で、一つのＩＰＤＣオペレータを選択する。端末は、ステップ２４３５で、選択されたＩＰプラットフォームで選択されたＩＰＤＣオペレータからＥＳＧブートストラップを行う。端末は、ステップ２４４０で、ＥＳＧプロバイダディスカバリディスクリプタ及びＥＳＧアクセスディスクリプタから選択されたＩＰＤＣオペレータに関連したＥＳＧを選択する。端末は、ステップ２４４５でＥＳＧにアクセスし、その後にステップ２４５０でサービスにアクセスし、あるいはサービスを購入する。
【０１０２】
＜第６の実施形態＞
本実施形態において、ＥＳＧブートストラップは、図２５に示すように、それぞれのＩＰＤＣオペレータの各ＩＰプラットフォームに対するユニットである。
ＥＳＧブートストラップディスクリプタは、本実施形態でより詳細に提供される。その一例は、次のようである。
【表２２】
2011509625.tif 000024
【０１０３】
図２６を参照して、本発明の第６の実施形態による端末の動作について説明する。
図２６に示すように、端末は、ステップ２６０５で放送サービス情報（ＰＳＩ／ＳＩ）を取得し、ステップ２６１０で利用可能なＩＰプラットフォームを解析する。端末は、ステップ２６１５で、各々のＩＰプラットフォームに対するＩＰＤＣオペレータ情報をチェックする。
【０１０４】
端末は、ステップ２６２０で、ＥＳＧ内の利用可能なＫＭＳをサポートするか否かを判断する。ステップ２６２０で、端末は、利用可能なＫＭＳをサポートすると判断された場合、ステップ２６２５で、利用可能なＩＰＤＣオペレータをサポートするか否かを判断する。ステップ２６２５で、端末は、利用可能なＩＰＤＣオペレータをサポートすると判断された場合、ステップ２６３０で、一つのＩＰＤＣオペレータを選択する。
【０１０５】
端末は、ステップ２６３５で、選択されたＩＰＤＣオペレータからの一つのＩＰプラットフォームを選択し、ステップ２６４０で、選択されたＩＰプラットフォームで選択されたＩＰＤＣオペレータからＥＳＧブートストラップする。ステップ２６４５で、端末は、ＥＳＧプロバイダディスカバリディスクリプタ及びＥＳＧアクセスディスクリプタから選択されたＩＰＤＣオペレータに関連したＥＳＧを選択する。端末は、ステップ２６５０で選択されたＥＳＧにアクセスし、その後にステップ２６５５でサービスにアクセスし、あるいはサービスを購入する。
【０１０６】
ＩＰＤＣオペレータはサービスに権限を有し、そのサービスを管理すると考えられるが、この概念は、将来はサービス権限を有し、そのサービスを管理する他のプロバイダ又はオペレータさらに変更できる。
したがって、本発明の実施形態によるそれぞれのメカニズムでの関連パラメータは、新たな関連パラメータに変更できる。すなわち、ＩＰＤＣオペレータ情報以外の一部情報は、端末が適切なＥＳＧを探すための簡単な方式を提供するように、上記と類似した方式で示すことができる。
【０１０７】
例えば、地理情報（ｇｅｏｇｒａｐｈｉｃ  ｉｎｆｏｒｍａｔｉｏｎ）及びネットワーク情報が示され得る。地理情報について、一部のＥＳＧは、異なる地域で利用可能な可変されるローカルサービスを考慮して一部の特定地域のみに使用されることがある。
したがって、表２３と図２７は、ＩＰＤＣオペレータ情報以外に地理情報が追加される本発明の実施形態を示す。表２５と図２８は、ネットワーク情報が追加される本発明の実施形態を示す。表２６は、移動性関連追加情報に対する本発明の実施形態を示す。
【０１０８】
図２７は、特定の地域に対する特定のＥＳＧの一例を示す。
図２７に示すように、ＥＳＧに対する地理情報は、端末が適切なＥＳＧを選択するように手助けする。上記したＩＰＤＣオペレータ情報と同様に、ＥＳＧに対する地理情報は、新たな要素又はディスクリプタを定義することによって予め示される。例えば、図２７は、ＥＳＧ１（ＥＳＧＵＩＲ＝１）が領域１にのみ提供され、ＥＳＧ２（ＥＳＧＵＲＩ＝２）は領域２にのみ提供される例を示すものであって、各ＥＳＧを選択するのに必要な情報として領域１及び領域２のような地理情報を指定する。
【０１０９】
このような新たな要素及び／又はディスクリプタは、上記したように、ＥＳＧブートストラップ（例えば、第１及び第２の実施形態）のＩＰＤＣオペレータ情報として示され、放送サービス情報（ＰＳＩ／ＳＩ）のＩＰＤＣオペレータ情報（例えば、第３〜第６の実施形態）として示され得る。
【表２３】
2011509625.tif 000025
【０１１０】
ＩＰＤＣオペレータ情報がＥＳＧブートストラップレベル（例えば、第１及び第２の実施形態）で提供される実施形態において、関連情報がＥＳＧブートストラップに追加されるため、端末は、ＥＳＧブートストラップを解析する場合に、それぞれのＥＳＧ（例えば、領域１に対するＥＳＧ１及び領域２に対するＥＳＧ２）に対する地理情報で提供され得る。
ＩＰＤＣオペレータ情報が放送サービス情報（ＰＳＩ／ＳＩ）レベルで提供される実施形態（例えば、第３〜第６の実施形態）において、端末は、関連情報がＰＳＩ／ＳＩに追加されるので、このＰＳＩ／ＳＩを解析する場合にそれぞれのＥＳＧ（例えば、領域１に対するＥＳＧ１及び領域２に対するＥＳＧ２）に対する地理情報で提供され得る。
したがって、端末が領域１にある場合には、例えばＥＳＧ１にアクセスできる。その後、端末が領域２に移動する場合には、例えばＥＳＧ２に変更することができる。
【０１１１】
一例として、ＥＳＧに対する地理情報は、表２４に示すように定義される。
【表２４】
2011509625.tif 000026
【０１１２】
場合によって、ＥＳＧは、特定のネットワークを通じて伝達されることができる。図２８は、特定のネットワークに対する特定のＥＳＧの一例を示す。
図２８に示すように、ＥＳＧに対するアクセスネットワーク情報は、端末が適切なＥＳＧを選択するように支援する。ＩＰＤＣオペレータ情報と同様に、アクセスネットワーク情報は、新たな要素又はディスクリプタを定義することによって予めＥＳＧに対して指示することができる。
【０１１３】
すなわち、図２８は、各ＥＳＧの選択のために必要な情報としてネットワーク１及びネットワーク２のようなネットワーク情報を指定することで、ＥＳＧ１（ＥＳＧＵＩＲ＝１）はネットワーク１にのみ提供され、ＥＳＧ２（ＥＳＧＵＲＩ＝２）はネットワーク２にのみ提供される例を示す。これら新たな要素及び／又はディスクリプタは、ＥＳＧブートストラップ（例えば、第１及び第２の実施形態）のＩＰＤＣオペレータ情報として示され、上記したように放送サービス情報（ＰＳＩ／ＳＩ）（例えば、第３〜第６の実施形態）のＩＰＤＣオペレータ情報として示され得る。
【０１１４】
あるいは、ＥＳＧの関連地理情報は、プロバイダＵＲＩ又はＥＳＧＵＲＩを通しても示されることができる。この地理情報は、ＵＲＩでネットワークＩＤ及びセルＩＤのフォーマットとして定義される。例えば、ハイパーテキスト伝送プロトコル（例えば、“／／ｗｗｗ．ｄｖｂ．ｏｒｇ．ｃｂｍｓ／ｋｂｓ／ｎｅｔｗｏｒｋ１／ｃｅｌｌ１／ｅｓｇ”）の形態で表現できる。上記の例において、端末は、プロバイダＵＲＩの情報に基づき、該当ＥＳＧを使用するネットワーク及びセルを認知する。この場合、端末は、ＵＲＩを通じて直接にＥＳＧと関連した地理情報を知るようになる。
【０１１５】
地理情報（ネットワークＩＤ、セルＩＤ）は、ＵＲＩ（プロバイダＵＲＩ、ＥＳＧＵＲＩ）内に明示され、その位置は、ＵＲＩの前方（接頭語）、後方（接尾語）である。しかしながら、本発明の範囲を外れない限り、他の位置に置くことも可能である。
プロバイダＵＲＩの場合、ＥＳＧは、例えばＥＴＳＩ  ＴＳ１０２４７１ｖ．１．２．１．に示したようにプロバイダＵＲＩとして分類される。特定のＥＳＧがどのセルのためのものであるかを示すために、プロバイダＵＲＩは、次のように示される。
“ｃｅｌｌＩＤＦＦＦＦ／ＥＳＧＰｒｏｖｉｄｅｒＩｄｅｎｔｉｆｉｅｒ”
【０１１６】
ここで、ｃｅｌｌＩＤＦＦＦＦ／は、接頭語形態でＵＲＩのヘッド部に接続され、ＦＦＦＦは１６進数の形態でセルＩＤを示し、“ＥＳＧＰｒｏｖｉｄｅｒＩｄｅｎｔｉｆｉｅｒ”は“ＥＳＧＰｒｏｖｉｄｅｒ”のセパレータである。例えば、“ｃｅｌｌＩＤ００００／ｍｙｃｏｍｐａｎｙ１．ｅｘａｍｐｌｅ．ｃｏｍ，”“ｃｅｌｌＩＤ０００１／ｍｙｃｏｍｐａｎｙ１．ｅｘａｍｐｌｅ．ｃｏｍ，”、及び“ｃｅｌｌＩＤ０００２／ｍｙｃｏｍｐａｎｙ１．ｅｘａｍｐｌｅ．ｃｏｍ”は、各々セル０、セル１、及びセル２のＥＳＧを表し、これらＥＳＧは、ＥＳＧＰｒｏｖｉｄｅｒ“ｍｙｃｏｍｐａｎｙ１．ｅｘａｍｐｌｅ．ｃｏｍ．”によって提供される。
【０１１７】
同一のＥＳＧとサービスが相互に異なるセルに伝送されると、各セルＩＤは、ＵＲＩのヘッドに一つずつ行に配列される。例えば、“ｃｅｌｌＩＤ０００１／ｃｅｌｌＩＤ０００２／ｍｙｃｏｍｐａｎｙ１．ｅｘａｍｐｌｅ．ｃｏｍ”は、同一のＥＳＧがセル１とセル２に提供されることを示す。
同様の方式で、ネットワークＩＤが伝達される場合に、プロバイダＵＲＩは次のように定義される。
“ｎｅｔｗｏｒｋＩＤＦＦＦＦ／ｃｅｌｌＩＤＦＦＦＦ／ＥＳＧＰｒｏｖｉｄｅｒＩｄｅｎｔｉｆｉｅｒ”
ここで、“ｎｅｔｗｏｒｋＦＦＦＦ／”はＵＲＩのヘッドに存在し、ＦＦＦＦは１６進数の形態でネットワークＩＤを示す。ＥＳＧＵＲＩに対しても、地理情報は同一の方式で明示されることができる。
【０１１８】
ＥＳＧプロバイダが各ＥＳＧが転送されるセルＩＤを知らない場合には、セルＩＤの代りに異なるタイプの地理情報がＥＳＧプロバイダ識別子の前方、後方、又は他の位置に指定することができる。この地理情報は、衛星、ローカル、都市名、地域コード、ＧＰＳのうちのいずれか一つであり得る。端末が接頭語、接尾語の形態で明示される地理情報を判定できない場合、端末は、該当地理情報に基づいて特定地域に対するＥＳＧを選択する。
【０１１９】
端末が現在位置した地域に対して伝送されるＥＳＧを判定できない場合には、端末は、まず各ＥＳＧのエントリポイントを探す。さらに、端末は、放送サービス情報（ＰＳＩ／ＳＩ）から各エントリポイントのＩＰアドレスのサービスＩＤを探し、ＳＤＴ（Ｓｅｒｖｉｃｅ  Ｄｅｓｃｒｉｐｔｉｏｎ  Ｔａｂｌｅ）に基づいてどのエントリポイントが特定地域のためのものであるかを判定する。
【表２５】
2011509625.tif 000027
【０１２０】
一部の実施形態（例えば、第１及び第２の実施形態）において、端末は、関連情報がＥＳＧブートストラップに追加されるため、このＥＳＧブートストラップを解析する場合に、それぞれのＥＳＧに対するアクセスネットワーク情報（例えば、ネットワーク１に対するＥＳＧ１及びネットワーク２に対するＥＳＧ２、又はＤＶＢ−ＳＨ（Ｄｉｇｉｔａｌ  Ｖｉｄｅｏ  Ｂｒｏａｄｃａｓｔｉｎｇ−Ｓａｔｅｌｌｉｔｅ  ｓｅｒｖｉｃｅｓ  ｔｏ  Ｈａｎｄｈｅｌｄ）システムで衛星ネットワークに対するＥＳＧ１及び地上波ネットワークに対するＥＳＧ２）がわかる。
【０１２１】
上記の他の実施形態（例えば、第３〜第６の実施形態）では、端末は、関連情報がＰＳＩ／ＳＩに追加されるため、放送サービス情報（ＰＳＩ／ＳＩ）を解析する場合にそれぞれのＥＳＧに対するアクセスネットワーク情報（例えば、ネットワーク１に対するＥＳＧ１及びネットワーク２に対するＥＳＧ２、又はＤＶＢ−ＳＨシステムで衛星ネットワークに対するＥＳＧ１及び地上波ネットワークに対するＥＳＧ２）がわかる。したがって、端末がネットワーク１上にある場合にはＥＳＧ１にアクセスできる。端末がネットワーク２に変更される場合にはＥＳＧ２に変更できる。
【０１２２】
他の関連情報の例、特に端末の移動性に関連した情報は、表２６に要約する。
必要な場合、このような情報の一部は、端末の移動性をサポートするために前述した実施形態に選択され使用することができる。さらに、端末が簡単な方式で適切なＥＳＧを探すように支援する他の情報は、本発明の範囲を逸脱しない限り、上述した実施形態を使用して採択できる。
【表２６】
2011509625.tif 000028
2011509625.tif 000029
2011509625.tif 000030
【０１２３】
本発明によるＥＳＧディスカバリを促進させるために、ＩＰＤＣオペレータ情報がブートストラップで示される場合に、下記に例示する情報は、同時に同一の方法で示すことができる。その情報の詳細な位置は、上記した第１〜第６の実施形態に例示したようにＥＳＧブートストラップ及びＰＳＩ／ＳＩに可変的である。
【０１２４】
１．ＥＳＧ起源（ｏｒｉｇｉｎ）識別子
まず、誰が該当ＥＳＧを生成して所有しているかを端末が決定することから、ＥＳＧの起源を示すことが可能になる。このＥＳＧの起源識別子は、次のパラメータの全体又は一部となり得る。
ＩＰプラットフォームＩＤ、プロバイダＵＲＩ、ＥＳＧＵＲＩ、ＩＰＤＣＫＭＳＩＤ、ＩＰＤＣＯｐｅｒａｔｏｒＩＤ、プロバイダＩＤ、ネットワークＩＤ、サービスプロバイダＵＲＩ、サービスプロバイダＩＤ、又はＥＳＧ起源を識別可能にする任意の他のパラメータ。
【０１２５】
２．ＥＳＧアクセス範囲タイプ
ＥＳＧローミングをサポートするために、３つのタイプのＥＳＧ、すなわちローカルＥＳＧ、ローミングユーザー用ＥＳＧ、ローカルとローミングとの組み合わせＥＳＧが定義される。“ローカルＥＳＧ”は、ＥＳＧがローカルユーザーに対するサービスに関する情報のみを搬送することを意味する。“ローミングユーザー用ＥＳＧ”は、ＥＳＧが特にローミングユーザーに対してサービスに関する情報のみを搬送することを意味する。“ローカルととローミングとの組み合わせＥＳＧ”は、このＥＳＧのサービス情報の一部がローカルユーザー用であり、他の部分はローミングユーザー用であることを意味する。
【０１２６】
３．ＥＳＧユーザーオブジェクト
“すべて”に対するＥＳＧオブジェクトは、ユーザーがローカルユーザーであれローミングユーザーであれ、ＥＳＧがすべてのユーザー用であることを意味する。また、ＥＳＧは、一部の特定ローミングユーザー用となることもある。例えば、特定のＩＰオペレータからのローミングユーザー用となる。この場合、ユーザーオブジェクトの詳細識別子は、明確に指示される。
【０１２７】
ＥＳＧが複数の特定ローミングユーザーグループに利用可能であれば、それぞれのローミングユーザーの特定グループの識別子は、すべて一つずつリスト化される。ユーザーオブジェクトを識別するパラメータは、次のパラメータの全体又は一部となり得る。
ＩＰＤＣＫＭＳＩＤ、ＩＰＤＣＯｐｅｒａｔｏｒＩＤ、ＩＰプラットフォームＩＤ、プロバイダＵＲＩ、プロバイダＩＤ、ネットワークＩＤ、サービスプロバイダＵＲＩ、サービスプロバイダＩＤ、ＳＭ  ＩＤ、又はユーザーオブジェクトを識別できる任意の他のパラメータ。
【０１２８】
４．ＥＳＧのサービス範囲
ローミングユーザーに対して利用可能なサービスはさまざまなタイプ、すなわちローカルサービス、訪問サービス、“サービスローミング”サービスがある。ローカルサービスは、ローミングユーザーが利用可能な放送サービスに関する情報を提供することである。訪問サービスは、ローミングユーザーに対して提供される放送サービスに関する情報（例えば、地理情報、サービス、ガイドライン、言語など）を提供することである。“サービスローミング”サービスは、サービスローミングを通じて利用可能であり、端末が属するホームネットワークから提供される放送サービスに関する情報を提供することである。
【０１２９】
したがって、ＥＳＧで利用可能なローミングサービス情報の種類は、ＥＳＧのサービスに依存する。例えば、ローカルサービスが利用可能であるか否かに関する情報があると、ローカルサービスオペレータの識別子がＥＳＧで提供される。訪問サービスが利用可能であるか否かに関する情報があると、訪問サービスオペレータの識別子が提供される。同様に、サービスローミングのサービスが利用可能であるか否かに関する情報があると、サービスローミングのサービスオペレータの識別子が提供される。それぞれの場合において、オペレータは、一つ以上である。したがって、各オペレータの識別子は、一つずつリスト化することができる。表２６のパラメータは、全体又はその一部を使用することができる。さらに、任意の新たなローミングサービスタイプはこのリストに追加することができる。
【０１３０】
ＥＳＧの促進のために上記した情報は、ただの例示である。実際に、プロバイダは、情報の全部又は選択された組み合わせを使用し、あるいは変更して新たな指示情報を追加することができる。そのフォーマットは、表２６に示すようであり、また例示的である。表２６のフォーマットとパラメータは、本発明の範囲から外れない限り、変更、削除、または追加することができる。
【０１３１】
ＥＳＧ属性の例示的な構文は、表２７に示すような構成となり得る。
【表２７】
2011509625.tif 000031
【０１３２】
ＥＳＧ起源識別子の例示的な構文は、表２８に示すように構成される。
【表２８】
2011509625.tif 000032
【０１３３】
別の実施形態において、表２９のように構成される。
【表２９】
2011509625.tif 000033
【０１３４】
ＥＳＧ起源識別子の例示的構文は、表３０に示すように構成される。
【表３０】
2011509625.tif 000034
【０１３５】
別の実施形態において、表３１に示すように構成される。
【表３１】
2011509625.tif 000035
【０１３６】
ＥＳＧ起源識別子の例示的な構文は、表３２に示すように構成される。
【表３２】
2011509625.tif 000036
【０１３７】
ＥＳＧアクセス範囲タイプの例は、表３３に示すように分類することができる。
【表３３】
2011509625.tif 000037
【０１３８】
他の実施形態において、表３４に示すように分類され得る。
【表３４】
2011509625.tif 000038
【０１３９】
ＥＳＧユーザーオブジェクトは、すべてのユーザー又は特定のユーザー用である。それが“真”であると、ＥＳＧはすべてのユーザー用である。そうでない場合、ＥＳＧは特定ユーザーのみを対象とすることを意味し、その特定ユーザーの詳細識別子はリスト化しなければならない。
【表３５】
2011509625.tif 000039
【０１４０】
ＥＳＧでサービス範囲の例は、表３６に示すように構成される。
【表３６】
2011509625.tif 000040
【０１４１】
他の例で、ＥＳＧでサービスの範囲は、表３７に示すように構成される。
【表３７】
2011509625.tif 000041
2011509625.tif 000042
【０１４２】
移動環境で、権限管理は、ローミングをサポートするのに主なパラメータである。例えば、ハンドオーバーは、権限管理の一つの範囲である。ローミングは、例えば加入及びローミング契約の問題によって相互に異なる権限管理範囲を伴う。
現在のＣＢＭＳシステムにおいて、ＩＰＤＣオペレータ（特に、ＩＰＤＣ  ＫＭＳシステム及びＩＰＤＣオペレータ）は、識別子ＩＰＤＣＫＭＳＩＤ及びＩＰＤＣＯｐｅｒａｔｏｒＩＤによって示される権限管理を担当する役割をすると考えられる。将来のシステムで権限管理が変更されても、本発明の多様な実施形態は、本発明の範囲を逸脱することなく変更又は適用することができる。説明のために、本発明は、権限管理システムとしてＩＰＤＣ  ＫＭＳシステムとＩＰＤＣオペレータを考慮する。
【０１４３】
図２９は、ＩＰＤＣ  ＫＭＳシステム及びＩＰＤＣオペレータが権限を管理する一般的な例を示す。
図２９に示すように、領域１（２９１０）には、ローカルユーザー、又は端末１（２９２０）が存在する。ローカル端末２９２０は、ＩＰＤＣＫＭＳＩＤ＝１及びＩＰＤＣＯｐｅｒａｔｏｒＩＤ＝１の識別子を有するオペレータに加入されている。したがって、端末２９２０がＥＳＧＵＲＩ＝１（２９３０）にアクセスする場合に、端末は、自身が加入したオペレータ（ＩＰＤＣ  ＫＭＳシステム＝１及びＩＰＤＣオペレータ＝１）を探すことができる。それによって。これら識別子は、ＥＳＧ起源識別子として見なされる。
【０１４４】
ＩＰＤＣ  ＫＭＳシステム及びＩＰＤＣオペレータ（ＩＰＤＣＫＭＳＩＤ＝１、そしてＩＰＤＣＯｐｅｒａｔｏｒＩＤ＝１）２９４０は、他のＫＭＳシステム及びＩＰＤＣオペレータとローミング契約を有する。
図３０は、ローミングの一例を示す。ここで、オペレータ３０１０（ＩＰＤＣＫＭＳＩＤ＝１及びＩＰＤＣＯｐｅｒａｔｏｒＩＤ＝１）は、ローカル権限管理を担当する。
図３０に示すように、オペレータ３０１０（ＩＰＤＣＫＭＳＩＤ＝１、ＩＰＤＣＯｐｅｒａｔｏｒＩＤ＝１）は、オペレータ３０２０（ＩＰＤＣＫＭＳＩＤ＝２、ＩＰＤＣＯｐｅｒａｔｏｒＩＤ＝２）とローミング契約を有する。したがって、オペレータ３０２０（ＩＰＤＣＫＭＳＩＤ＝２、ＩＰＤＣＯｐｅｒａｔｏｒＩＤ＝２）と加入した端末２（３０２５）は、それら間のローミング契約のため、オペレータ３０１０（ＩＰＤＣＫＭＳＩＤ＝１、ＩＰＤＣＯｐｅｒａｔｏｒＩＤ＝１）からサービスにアクセスできる。
【０１４５】
そのため、ＥＳＧ３０００（ＥＳＧＵＲＩ＝１）は、オペレータ３０１０（ＩＰＤＣＫＭＳＩＤ＝１、ＩＰＤＣＯｐｅｒａｔｏｒＩＤ＝１）と加入したユーザーだけでなく、オペレータ３０２０（ＩＰＤＣＫＭＳＩＤ＝２、ＩＰＤＣＯｐｅｒａｔｏｒＩＤ＝２）と加入したユーザーのためのものである。
図３０に示すように、他のオペレータ３０３０（ＩＰＤＣＫＭＳＩＤ＝３、ＩＰＤＣＯｐｅｒａｔｏｒＩＤ＝３）がある。オペレータ３０３０（ＩＰＤＣＫＭＳＩＤ＝３、ＩＰＤＣＯｐｅｒａｔｏｒＩＤ＝３）は、オペレータ３０１０（ＩＰＤＣＫＭＳＩＤ＝１、ＩＰＤＣＯｐｅｒａｔｏｒＩＤ＝１）とローミング契約を有していないため、オペレータ３０３０（ＩＰＤＣＫＭＳＩＤ＝３、ＩＰＤＣＯｐｅｒａｔｏｒＩＤ＝３）に加入した端末３（３０３５）は、オペレータ３０１０（ＩＰＤＣＫＭＳＩＤ＝１、ＩＰＤＣＯｐｅｒａｔｏｒＩＤ＝１）によって管理されるサービスにアクセスする権限を持っていない。
【０１４６】
ローミングをサポートするために、ローミングパートナーに関する情報は予め指示できる。上述したように、ローミングパートナーに関する情報は、放送サービス情報（ＰＳＩ／ＳＩ）、ＥＳＧブートストラップ（ＥＳＧプロバイダディスカバリディスクリプタ、ＥＳＧアクセスディスクリプタ、及び／又は新たに定義されたディスクリプタ）、ＥＳＧアナウンスメントカルーセル、及びインデックス又はパーティションを拡張することによってシグナリングできる。それは、ＥＳＧユーザーオブジェクトの一例である。ＥＳＧでＩＰＤＣＫＭＳＩＤ及びＩＰＤＣＯｐｅｒａｔｏｒＩＤで定義されるローカル（又は“オリジナル”）オペレータは、一つずつ指示される。
【０１４７】
それぞれのローカル（又はオリジナル）オペレータＩＰＤＣＯｐｅｒａｔｏｒＩＤに対して、そのローミングパートナーは、一つずつリスト化される。その一例は、表３８に示す。
【表３８】
2011509625.tif 000043
【０１４８】
一つのＥＳＧでは、一つ以上のローカルＩＰＤＣＫＭＳＩＤ及びＩＰＤＣＯｐｅｒａｔｏｒＩＤがあり、それら各々はそれ自体のローミングパートナーを有することができる。この場合、それぞれのローカルＩＰＤＣＫＭＳＩＤ及びＩＰＤＣオＯｐｅｒａｔｏｒＩＤ３１１０とそのローミングパートナー（ローミングＩＰＤＣＫＭＳＩＤ及びＩＰＤＣＯｐｅｒａｔｏｒＩＤ）３１２０は、図３１に示すように予め一つずつ示すことができる。これは、上記した実施形態のＥＳＧブートストラップでのＰＳＩ／ＳＩに対応する。
【０１４９】
同一のＩＰＤＣ  ＫＭＳシステムに属するＩＰＤＣオペレータは、相互にローミング契約をすることができる一方で、異なるＩＰＤＣ  ＫＭＳシステムに属するＩＰＤＣオペレータは相互にローミング契約を締結することができない。例えば、ＩＰＤＣＫＭＳＩＤ＝１及びＩＰＤＣＯｐｅｒａｔｏｒＩＤ＝１は、ＩＰＤＣＫＭＳＩＤ＝１及びＩＰＤＣＯｐｅｒａｔｏｒＩＤ＝２とローミング契約が可能である。しかしながら、ＩＰＤＣＫＭＳＩＤ＝１及びＩＰＤＣオＯｐｅｒａｔｏｒＩＤ＝１は、ＩＰＤＣＫＭＳＩＤ＝２及びＩＰＤＣＯｐｅｒａｔｏｒＩＤ＝３とローミング契約を有することができない。しかしながら、ローミング契約は、異なるＩＰＤＣ  ＫＭＳシステムに属するＩＰＤＣオペレータの間で締結されることができる。
【０１５０】
説明のために、“ｉ”、“ｊ”、“ｋ”、“ｍ”及び“ｎ”は、ＩＰＤＣＫＭＳＩＤ及びＩＰＤＣＯｐｅｒａｔｏｒＩＤに対するシンボルとして使用される。しかしながら、具体的な値と制限は、本発明の範囲を逸脱しない限り多様に割り当てることができる。
すべてのＩＰＤＣオペレータ及びそのローミングパートナーに関する詳細な情報は、表３９に示す例示方法のように示される。
【表３９】
2011509625.tif 000044
【０１５１】
一実施形態において、ローカルＩＰＤＣオペレータ及びすべてのローミングＩＰＤＣオペレータは、それぞれのローカルＩＰＤＣオペレータとそのローミングパートナーＩＰＤＣオペレータとの間の関係を指示せずに示すことができる。その構文の一例は、表４０に示すように構成される。
【表４０】
2011509625.tif 000045
【０１５２】
他の実施形態において、ローカルＩＰＤＣオペレータとそのローミングＩＰＤＣオペレータとの関係は、表４１に示すように指示できる。
【表４１】
2011509625.tif 000046
【０１５３】
さらに他の実施形態において、ローカルＩＰＤＣオペレータとすべてのローミングＩＰＤＣオペレータとの関係は、表４２に示すように指示できる。
【表４２】
2011509625.tif 000047
【０１５４】
各ローカルＩＰＤＣオペレータが複数のローミングＩＰＤＣオペレータを有すると、すべてのローミングＩＰＤＣオペレータ情報を一つずつリスト化することは、大きな負担となる可能性がある。従って、最も頻繁にローミングするいくつかのＩＰＤＣオペレータを選択し、ここでリスト化する。
【０１５５】
ローミングパートナー３１２０は、時々アップデートされる。新たにコンパイルされるローミングＩＰＤＣオペレータ情報は、ＥＳＧブートストラップ、ＰＳＩ／ＳＩ、又は他の位置に予め各ＥＳＧに対して欠けていることもある。この場合、端末がローミングＩＰＤＣオペレータリストで加入したＩＰＤＣオペレータを探し出せない場合、同一のＩＰＤＣＫＭＳＩＤがローカルで見つけ出せるならば、それにもかかわらずＥＳＧにアクセスを試みる。これは、それら間に既にローミング契約がある場合に、端末がそのＩＰＤＣオペレータからのサービスにまだアクセスする機会があるためである。
【０１５６】
上記情報がＥＳＧブートストラップに付加された場合に、端末は、図３２に示すように動作し、サーバは図３３に示すように動作することができる。
図３２を参照して、ＩＰＤＣ関連情報に基づいた端末動作の一例について説明する。
図３２に示すように、端末は、ステップ３２０５で、放送サービス情報（ＰＳＩ／ＳＩ）を取得し、ステップ３２１０でＥＳＧブートストラップに対するＩＰプラットフォームを選択する。端末は、ステップ３２１５で、ＩＰＤＣ関連情報を解析する。
【０１５７】
ステップ３２２０で、端末のＩＰＤＣＫＭＳＩＤ及びＩＰＤＣＯｐｅｒａｔｏｒＩＤをローカルＩＰＤＣＫＭＳＩＤ及びＩＰＤＣＯｐｅｒａｔｏｒＩＤで探すと、端末は、その関連ＥＳＧにアクセスできる。ステップ３２２５で、端末は、そのＩＰＤＣＫＭＳＩＤ及びＩＰＤＣＯｐｅｒａｔｏｒＩＤを有するＥＳＧを選択する。端末は、ステップ３２３０でＥＳＧにアクセスし、ステップ３２３５でサービスにアクセスし、あるいはサービスを購入する。
【０１５８】
ステップ３２４０で、端末のＩＰＤＣＫＭＳＩＤ及びＩＰＤＣＯｐｅｒａｔｏｒＩＤをローミングＩＰＤＣＫＭＳＩＤ及びＩＰＤＣＯｐｅｒａｔｏｒＩＤで探すと、端末は、そのローミングパートナーのＥＳＧにアクセスできる。端末は、ステップ３２４５で、そのローミングパートナーのＩＰＤＣＫＭＳＩＤ及びＩＰＤＣＯｐｅｒａｔｏｒＩＤを有するＥＳＧを選択する。端末は、ステップ３２５０でＥＳＧにアクセスし、ステップ３２５５でサービスにアクセスし、あるいはサービスを購入する。
【０１５９】
ステップ３２６０で、端末のＩＰＤＣＫＭＳＩＤはローカルＩＰＤＣＫＭＳＩＤで探すことができるが、そのＩＰＤＣオペレータはローカル又はローミングＩＰＤＣオペレータで探すことができないと、端末は、ステップ３２６５でそのＩＰＤＣＫＭＳＩＤを有するが異なるＩＰＤＣＯｐｅｒａｔｏｒＩＤを有するＥＳＧを選択する。端末は、ステップ３２７０でＥＳＧにアクセスする。
ステップ３２７５で、端末は、サービスへのアクセス又は購入を試みる。端末は、ローミング契約が締結されている場合、その試みに成功するが、ローミング契約が締結されていない場合、サービスにアクセスする権利を取得できない。
【０１６０】
次に、図３３に示すように、ＩＰＤＣ関連情報によるサーバの動作について説明する。
図３３に示すように、サーバは、ステップ３３０５で、ローカルＩＰＤＣＫＭＳＩＤ及びＩＰＤＣＯｐｅｒａｔｏｒＩＤをリスト化する。サーバは、ステップ３３１０で、それぞれのローカルＩＰＤＣオペレータに対するローミングパートナーを選択し、それをローミングＩＰＤＣＫＭＳＩＤ及びＩＰＤＣＯｐｅｒａｔｏｒＩＤとしてリスト化する。サーバは、ステップ３３１５で、ローカル及びローミングＩＰＤＣオペレータ情報をＩＰＤＣ関連情報に記入する。
【０１６１】
提案されたシグナリングのサイズを縮小させるために、ＩＰＤＣＫＭＳＩＤ及びＩＰＤＣＯｐｅｒａｔｏｒＩＤはリスト化され、それら各々に対して数字が割り当てられる。サーバがローカルＩＰＤＣＫＭＳ及びＩＰＤＣオペレータをリスト化し、それら各々に対するローミングパートナーを記述する場合、各々に対して割り当てられた数字は、正確なＩＰＤＣＫＭＳＩＤ及びＩＰＤＣＯｐｅｒａｔｏｒＩＤの代りに使用することができる。
【０１６２】
このようなインデックスリストのローミング関係は、ＥＳＧに割り当てることができる。その例示的な構文は、表４３に示すように構成される。
【表４３】
2011509625.tif 000048
2011509625.tif 000049
【０１６３】
ローカルＩＰＤＣオペレータ及びすべてのローミングＩＰＤＣオペレータが指示されたが、それぞれのローカルＩＰＤＣオペレータとそのパートナーローミングＩＰＤＣオペレータとの間の関係が指示されていない場合、例示的な構文は、表４４に示すように定義される。
【表４４】
2011509625.tif 000050
【０１６４】
他の実施形態として、表４５に示すように定義される。
【表４５】
2011509625.tif 000051
【０１６５】
他の実施形態として、表４６ａに示すように定義される。
【表４６ａ】
2011509625.tif 000052
【０１６６】
表４６ａは、表４６ｂに示すように２進数で表現することができる。
【表４６ｂ】
2011509625.tif 000053
【０１６７】
一つのローミング端末は、そのローミング端末のホームＩＰＤＣオペレータとローミング契約を締結したい一部のローカルＩＰＤＣオペレータを探すことができる。図３４は、そのような一例を示す。
第１に、ローミング端末のホームオペレータがリスト化される。第２に、ローミング端末のホームオペレータとローミング契約を有するローカルＩＰＤＣオペレータがリスト化される。第３に、それぞれの関連ＥＳＧがリスト化される。
【０１６８】
図３４に示すように、ローミング端末のホームオペレータ３４１０のＩＰＤＣＫＭＳＩＤ及びＩＰＤＣＯｐｅｒａｔｏｒＩＤが記載されている。すなわち、第１のホームのＩＰＤＣＫＭＳＩＰ＝１及びＩＰＤＣＯｐｅｒａｔｏｒＩＤ＝１であり、そのｍ番目のホームに対するＩＰＤＣＫＭＳＩＤ＝ｍ及びＩＰＤＣＯｐｅｒａｔｏｒＩＤ＝ｍである。ホームオペレータは、ローミング端末のオペレータとローミング契約を締結したローカルＩＰＤＣＫＭＳＩＤ及びＩＰＤＣＯｐｅｒａｔｏｒＩＤと接続する。
【０１６９】
図３４に示すように、ローミング端末のホームオペレータ及びそのローミング契約が締結されたローカルオペレータの構文例は、表４７に示すように定義される。
【表４７】
2011509625.tif 000054
【０１７０】
インデックスが使用されると、構文例は、表４８に示すように定義される。
【表４８】
2011509625.tif 000055
【０１７１】
一方、ローミング関連情報は、放送サービス情報（ＰＳＩ／ＳＩ）に置かれることができる。
一つのＩＰプラットフォーム内に一つ以上のＩＰＤＣオペレータがあると、ＥＳＧブートストラップは、そのＩＰプラットフォームでそれぞれのＩＰＤＣオペレータに対して分離される。
【表４９】
2011509625.tif 000056
【０１７２】
新たなディスクリプタとして、表５０に示すＩＰＤＣディスクリプタは、ＥＳＧブートストラップがどのＩＰＤＣオペレータに対するものであるかを示すために追加される。
【表５０】
2011509625.tif 000057
【０１７３】
一つのＩＰプラットフォーム内に一つ以上のＩＰＤＣオペレータがあると、ＥＳＧブートストラップは、そのＩＰプラットフォームでそれぞれのＩＰＤＣオペレータに対して分離される。
【表５１】
2011509625.tif 000058
【０１７４】
新たなディスクリプタとして、表５２に示すＩＰＤＣオペレータディスクリプタは、ＥＳＧブートストラップがどのＩＰＤＣオペレータに対するものであるかを表すために付加される。
【表５２】
2011509625.tif 000059
【０１７５】
各ホーム（すなわち、ローカル）端末に対して、外部（ｆｏｒｅｉｇｎ）ネットワークでそのローミングパートナーに関する情報を、予め提供しておくことができる。この場合、端末は、既に自身のホームネットワークでの多くのローミング情報を持っており、図３５に示すように、実際に外部ネットワークに移動する場合にその情報を使用することができる。
図３５に示すように、ＩＰＤＣＫＭＳＩＤ及びＩＰＤＣＯｐｅｒａｔｏｒＩＤを有するローカル端末がある。また、各ローカル端末に接続される外部ネットワークのローミングパートナーが示されている。
【０１７６】
図３５に示すローカルＩＰＤＣオペレータ及び外部ネットワークでのローミングパートナーの構文例は、表５３に示すように定義される。
【表５３】
2011509625.tif 000060
【０１７７】
インデックスが使用されると、構文例は表５４に示すように定義される。
【表５４】
2011509625.tif 000061
【０１７８】
外部ネットワークでのＥＳＧＵＲＩが予め分かれば、端末に指示が可能である。その構文の例は、表５５に示すように定義される。
【表５５】
2011509625.tif 000062
【０１７９】
インデックスが使用されると、その構文の例は、表５６に示すように定義される。
【表５６】
2011509625.tif 000063
2011509625.tif 000064
【０１８０】
ＥＳＧＵＲＩを除き、ＩＰプラットフォームのような他の情報は、予め指示することができる。予め指示された情報は、アプリケーションによって決定される。この情報は、ＥＳＧＵＲＩと類似した方式で示される。
ＩＰプラットフォーム、ＥＳＧプロバイダ、ＥＳＧ、アクセスネットワークに関する情報が指示されると、構文の例は表５７に示すように定義される。
【表５７】
2011509625.tif 000065
【０１８１】
インデックスが使用されると、構文の例は表５８に示すように定義される。
【表５８】
2011509625.tif 000066
2011509625.tif 000067
【０１８２】
提供された情報に基づき、端末は、ＥＳＧブートストラップに対するすべての利用可能なＩＰプラットフォームの中で適切なＩＰプラットフォームを選択し、複数のＥＳＧプロバイダ及びＥＳＧの中で適切なＥＳＧプロバイダ及びＥＳＧを選択できる。その後、端末は、アクセスするサービスを選択できる。
【０１８３】
次に、上述したような本発明によるＥＳＧディスカバリ方法を実現する端末／ネットワークについて説明する。
図３６は、本発明によるＥＳＧディスカバリ方法が実現されるネットワークの構成例を示す。
図３７は、本発明によるＥＳＧディスカバリ方法が実現される端末の構成例を示す。詳細な説明は、表５９に示す。
【表５９】
2011509625.tif 000068
2011509625.tif 000069
【０１８４】
上述したように、本発明による実施形態（例えば、第１〜第６の実施形態）は、ＰＳＩ／ＳＩ又はＥＳＧブートストラップレベルで適切なＥＳＧを探すことを示す。
一つのＥＳＧが複数のＩＰＤＣオペレータを含むと、そのＥＳＧの一つのサブセットが一つのＩＰＤＣオペレータに対して可能であり、ＥＳＧの他のサブセットは他のＩＰＤＣオペレータに対して可能である。さらに、ＥＳＧの一つのサブセットは、一つの地理領域に対して可能であり、ＥＳＧの他のサブセットは他の地理領域に対して可能である。
【０１８５】
また、ＥＳＧの一つのサブセットは、一つのネットワーク又はネットワークの一つのタイプ（例えば、ＤＶＢ−Ｈ、ＤＶＢ−３、３ＧＰＰ、ＷＩＭＡＸなど）に対して課金され、ＥＳＧの他のサブセットは、他のネットワーク又はネットワークタイプに対してそのＥＳＧが課金されることができる。したがって、端末がＥＳＧ内の適切な部分を探す方法が一つの問題となる。上記した指示情報（例えば、表２６）は、ここでも使用可能であり、ＥＳＧのサブセットに対して変更される。
【表６０】
2011509625.tif 000070
2011509625.tif 000071
2011509625.tif 000072
【０１８６】
さらに、上記と類似した実施形態は、ＥＳＧ内で異なる位置で提供される。
指示情報に対する関連情報の細部位置は、本発明の範囲から外れない限り可変され得る。説明のために、２個の位置が説明される。一例はＥＳＧアナウンスメントカルーセルに位置させ、他の例はＥＳＧパーティションメカニズムを使用する。
【０１８７】
＜第７の実施形態＞
本実施形態は、各ＥＳＧを認知する方法としてＥＳＧパーティション方法を使用する。ＤＶＢ−ＣＢＭＳシステムでは、一つのＥＳＧは、その伝送のために複数のＩＰフローに分割される。どのＩＰフローが分割されたかに基づいた基準を示す情報は、表６１に示すように定義される。さらに、一つのＥＳＧが２個以上のＩＰプラットフォームに適用されると、そのＥＳＧに存在する異なるＩＰプラットフォームに対してＥＳＧの異なる部分を用意することができる。
【０１８８】
表６１において、“０ｘ００”及び“０ｘ０１”を有する値を除いた他の値は、本発明によって提案される。ＩＰＤＣＫＭＳＩｄ値及び／又はＮｅｔｗｏｒｋＩＤ値が各パーティションの間隔を示すスタートフィールド値とエンドフィールド値に加えるので、ネットワークＩＤが、ＥＳＧの部分に該当するサービスのみで構成されているかがわかる。また、ＩＰＤＣＫＭＳＩｄが、ＥＳＧの部分に該当するサービスのみで構成されているかがわかる。
【表６１】
2011509625.tif 000073
【０１８９】
本発明は、端末が適切なＥＳＧ又はＥＳＧの部分を探すことを助けるために、ＥＳＧ内で、ＰＳＩ／ＳＩ及びＥＳＧブートストラップでＥＳＧ又はサブＥＳＧ関連情報を指示する方法に関するいくつかの実施形態が既に提供されている。また、本発明は、表２６及び表６０に示すようにＥＳＧ又はサブＥＳＧ関連情報を異なる方法で、例えば通知及び別途のシグナリングによって指示することができる。
【０１９０】
＜第８の実施形態＞
本実施形態は、ＥＳＧを区別するために、上記で論議された情報をＨＴＴＰ要求クエリ（ｑｕｅｒｙ）を用いて取得する構成を提供する。
この構成において、端末は、サーバに自身の情報を伝送し、その情報を用いて利用可能なＥＳＧリストのクエリを行う。サーバは、該当する情報を用いて端末に利用可能なＥＳＧリストを伝送する。すなわち、端末が予め格納されているネットワークＩＤ、セルＩＤ、及びＩＰＤＣオペレータ識別子のような情報をサーバに伝達しつつ、利用可能なＥＳＧリストを要求する場合に、サーバは、この情報を解析し、利用可能なＥＳＧリストを端末に伝送する。
端末は、表２６及び表６０に示したＩＰＤＣオペレータ、地理情報、アクセスネットワーク、又は他の情報に基づいてＥＳＧをクエリする（問い合わせる）ことができる。
【０１９１】
１．ＩＰＤＣオペレータに基づいたＥＳＧクエリ
端末は、一部の特定のＩＰＤＣオペレータ、例えば自身のホームＩＰＤＣオペレータでＥＳＧをクエリしようとする。この場合、サーバは、この特定のＩＰＤＣオペレータのみに関連したＥＳＧを端末に伝送する。
【表６２】
2011509625.tif 000074
【０１９２】
２．地理情報に基づいたＥＳＧクエリ
端末は、一部の特定領域、例えば一つのローミングネットワークに対するＥＳＧをクエリしようとする。この場合、サーバは、特定の領域のみに関連したＥＳＧを端末に伝送する。
【表６３】
2011509625.tif 000075
【０１９３】
３．アクセスネットワークに基づいたＥＳＧクエリ
端末は、一部の特定ネットワーク、例えばＤＶＢ−Ｈネットワーク１又は３ＧＰＰネットワーク２に対するＥＳＧをクエリしようとする。この場合、サーバは、この特定ネットワークのみに関連したＥＳＧを端末に伝送する。
【表６４】
2011509625.tif 000076
【０１９４】
クエリ情報は、組み合わせることができる。例えば、端末は、ネットワーク１のＩＰＤＣオペレータ１からのＥＳＧをクエリできる。
【表６５】
2011509625.tif 000077
【０１９５】
したがって、本発明は、表６６に示すように新たなキーと値をクエリメッセージ（ボールド体で表示）を含む。
【表６６】
2011509625.tif 000078
【０１９６】
＜第９の実施形態＞
本実施形態では、双方向ネットワークを通じて一部の特定のＩＰＤＣオペレータに対するＥＳＧブートストラップを提供する。端末は、サーバに一部の特定のＩＰＤＣオペレータ（例えば、加入したＩＰＤＣオペレータ）に対するＥＳＧブートストラップ情報を要求することができる。サーバは、その特定のＩＰＤＣオペレータに関連したＥＳＧブートストラップ情報を集めて双方向ネットワークを通じて端末に伝送できる。このような方法で、端末は、すべてのブートストラップ情報を解析する必要なしに、所望するものを容易に得ることができる。
【０１９７】
端末が一部の特定のＩＰプラットフォームの一つの特定のＩＰＤＣオペレータと関連したＥＳＧブートストラップのクエリを希望すると、クエリメッセージは、表６７に示すように構成される。
【表６７】
2011509625.tif 000079
【０１９８】
端末がすべてのＩＰプラットフォームの一つの特定のＩＰＤＣオペレータからのＥＳＧブートストラップのクエリを希望すると、クエリメッセージは、表６８に示すように構成される。
【表６８】
2011509625.tif 000080
本実施形態は、単独で使用され得、あるいは、放送方式で予めＩＰＤＣオペレータ情報を指示する他の実施形態で使用することができる。
【０１９９】
図３８は、第９の実施形態による端末の動作を示すフローチャートである。
図３８に示すように、端末は、ステップ３８０５で、サーバに一部の特定のＩＰＤＣオペレータ値を有するＥＳＧブートストラップのクエリメッセージを伝送する。端末は、ステップ３６１０で、サーバからクエリメッセージに応答メッセージを受信する。端末は、ステップ３８１５で、サーバから受信した要求されたＥＳＧブートストラップ情報が利用可能であるか否かを判断する。
【０２００】
ステップ３８１５で要求されたＥＳＧブートストラップ情報が利用可能であると判断された場合、端末は、ステップ３８２０で、クエリしたＩＰＤＣオペレータと関連したすべてのＥＳＧブートストラップ情報を解析し、該当ＥＳＧブートストラップを選択する。ステップ３８２５で、複数のＩＰプラットフォームが利用可能であると、端末はブートストラップをするために一つのＩＰプラットフォームを選択する。
【０２０１】
また、端末は、ステップ３８３０で、選択されたＥＳＧブートストラップのＥＳＧプロバイダディスカバリディスクリプタ及びＥＳＧアクセスディスクリプタからＥＳＧを選択する。その後、端末は、ステップ３８３５で選択されたＥＳＧにアクセスし、ステップ３８４０でアクセスされたＥＳＧを通じてサービスにアクセスし、あるいはサービスを購入する。
【０２０２】
図３９は、本発明の第９の実施形態によるサーバの動作を示すフローチャートである。
図３９に示すように、サーバは、ステップ３９０５で、端末から一部の特定のＩＰＤＣオペレータ値を有するＥＳＧブートストラップのクエリメッセージを受信する。サーバは、ステップ３９１０で、端末から要求された、その特定のＩＰＤＣオペレータに対するＥＳＧブートストラップ情報が利用可能であるか否かを判断する。
【０２０３】
ステップ３９１０で、ＥＳＧブートストラップ情報が利用可能であると判断された場合、サーバは、ステップ３９１５で、端末から要求されたＩＰＤＣオペレータに関連したすべてのＥＳＧブートストラップ情報を集めて端末に応答メッセージで伝送する。しかし、ステップ３９１０でＥＳＧブートストラップ情報が利用不可能であると判断された場合、サーバは、ステップ３９２０で端末に失敗値で応答する。
【０２０４】
ローミングシナリオでは、ローカルＩＰＤＣオペレータ情報がＥＳＧブートストラップに指示されても、各ローカルＩＰＤＣオペレータに対するローミングパートナーは指示されず、あるいはローミングパートナーのリストが完成しない可能性がある。この場合、ローミング端末はアクセス可能なサービスを含んでいる適切なＥＳＧを選択するのは難しい。しかしながら、本発明によるクエリメカニズムは、この問題を解決する。
【０２０５】
サーバは、予めそれぞれのＥＳＧに対するすべてのローカルＩＰＤＣオペレータ情報を、例えばＥＳＧブートストラップで指示する。その後、サーバは、ステップ３９０５で、端末から一部の特定のＩＰＤＣオペレータ情報を有するＥＳＧブートストラップクエリを受信し、ステップ３９１０で、一部のローカルＩＰＤＣオペレータとローミングパートナーであるか否かをチェックする。その結果、ローミングパートナーであると、サーバは、ステップ３９１５で、そのローカルＩＰＤＣオペレータに関連したすべてのＥＳＧブートストラップ情報を集めて端末に伝送する。そうでない場合、サーバは、ステップ３９２０で、失敗情報で応答する。
【０２０６】
図４０は、第９の実施形態によるサーバの動作を示すフローチャートである。
図４０に示すように、サーバは、ステップ４００５で、予めそれぞれのＥＳＧに対するローカルＩＰＤＣＫＭＳＩＤ及びＩＰＤＣＯｐｅｒａｔｏｒＩＤをＥＳＧブートストラップで（又はＰＳＩ／ＳＩで、又は他の位置で）指示する。サーバは、ステップ４０１０で、端末からＩＰＤＣＫＭＳＩＤ及びＩＰＤＣＯｐｅｒａｔｏｒＩＤを有するＥＳＧブートストラップクエリメッセージを受信する。ステップ４０１５で、サーバは、端末によって要求されたＩＰＤＣＫＭＳＩＤ及びＩＰＤＣＯｐｅｒａｔｏｒＩＤが一部のローカルＩＰＤＣオペレータとのローミングパートナーであるか否かをチェックし、ローミングパートナーであれば、サーバは、そのローカルＩＰＤＣオペレータと関連したすべてのＥＳＧブートストラップ情報を端末に伝送する。そうでない場合、サーバは、失敗情報で応答する。
【０２０７】
図４１は、第９の実施形態による端末の動作を示すフローチャートである。
図４１に示すように、端末は、例えばＥＳＧブートストラップで既に指示されたローカルＩＰＤＣオペレータ情報を探索する。端末が加入しているＩＰＤＣオペレータ情報をその中で見つけられないと、端末は、自身のＩＰＤＣオペレータ情報を有するＥＳＧブートストラップクエリ情報をサーバに伝送する。サーバがローカルＩＰＤＣオペレータでそのローミングパートナーを探す場合には、サーバは、すべての関連ＥＳＧブートストラップ情報を端末に伝送する。すると、端末は、ＥＳＧを選択してサービスにアクセスするか、あるいはサービスを購入する。
【０２０８】
図４１に示すように、端末は、ステップ４１０５で、放送サービス情報（ＰＳＩ／ＳＩ）を取得し、ステップ４１１０でＥＳＧブートストラップに対する利用可能なＩＰプラットフォームを選択する。端末は、ステップ４１１５で、ＩＰＤＣ関連情報を解析する。ステップ４１２０で、端末のＩＰＤＣＫＭＳＩＤ及びＩＰＤＣＯｐｅｒａｔｏｒＩＤをローカルＩＰＤＣＫＭＳＩＤ及びＩＰＤＣＯｐｅｒａｔｏｒＩＤで探した場合、端末は、その関連ＥＳＧにアクセスする。
端末は、ステップ４１２５で、そのＩＰＤＣＫＭＳＩＤ及びＩＰＤＣＯｐｅｒａｔｏｒＩＤを有するＥＳＧを選択し、ステップ４１３０でＥＳＧにアクセスする。端末は、ステップ４１３５で、サービスにアクセスし、あるいはサービスを購入する。
【０２０９】
ステップ４１４０で、端末は、ローカルＩＰＤＣＫＭＳＩＤ及びＩＰＤＣＯｐｅｒａｔｏｒＩＤで自身のＩＰＤＣＫＭＳＩＤ及びＩＰＤＣＯｐｅｒａｔｏｒＩＤを探し出せないと、その関連ＥＳＧにアクセスする。
この場合、端末は、ステップ４１４５で、サーバに自身のＩＰＤＣＫＭＳＩＤ及びＩＰＤＣＯｐｅｒａｔｏｒＩＤを有するＥＳＧブートストラップ情報に関してクエリを行う。ステップ４１５０で、端末のＩＰＤＣオペレータローミングパートナーが一つのローカルＩＰＤＣオペレータであると、端末は、サーバからローカルＩＰＤＣオペレータと関連したＥＳＧ情報を受信する。その後、端末は、ステップ４１５５で、ＥＳＧ情報を受信し、ＥＳＧにアクセスし、ステップ４１６０でサービスにアクセスするか、あるいはサービスを購買する。
【０２１０】
＜第１０の実施形態＞
本実施形態において、サーバと端末は、ＥＳＧアナウンスメントカルーセル（ａｎｎｏｕｎｃｅｍｅｎｔ  ｃａｒｏｕｓｅｌ）にＥＳＧサブセット関連情報をシグナリングをする。表４４に示すようなローミングＥＳＧ関連情報は、ＥＳＧアナウンスメントカルーセルに付加することができる。
【０２１１】
これらパラメータは、ＥＳＧ初期コンテナ（ｉｎｉｔ  ｃｏｎｔａｉｎｅｒ）に記入でき、ＥＳＧの属性又はサブセット属性を含むフィールドは、図４２の参照符号４０２０で示すようにそれらに割り当てられる。図４２の参照符号４２４０で示すように、属性コンテナと呼ばれる独立コンテナは、これらサブセットＥＳＧ関連情報を搬送するように割り当てられる。あるいは、一部は、初期コンテナ又は任意の他の既存コンテナ、及び新たなコンテナに加えることもできる。それらパラメータは、本発明の範囲を逸脱しない範囲で、ＥＳＧアナウンスメントカルーセルの他の位置に存在することもある。
【０２１２】
図４２は、本発明の実施形態による新たな要素又はコンテナを有するＥＳＧアナウンスメントカルーセルを示す。
図４２に示すように、一つ以上のＥＳＧアナウンスメントカルーセルＦＬＵＴＥセッション４２１０、４２３０がある。各ＥＳＧアナウンスメントカルーセルＦＬＵＴＥセッションは、一部属性を有する一つのＥＳＧサブセットに対するものである。
【０２１３】
一例として、一つのＥＳＧアナウンスメントカルーセルＦＬＵＴＥセッションは、衛星ネットワークを通じてのＥＳＧサブセットに対するものであり、他のＥＳＧアナウンスメントカルーセルＦＬＵＴＥセッションは、地上波ネットワークを通じてのＥＳＧサブセットに対するものである。
２番目の例として、一つのＥＳＧアナウンスメントカルーセルＦＬＵＴＥセッションは、一つのＩＰＤＣオペレータ（ＩＰＤＣＫＭＳＩＤ、ＩＰＤＣＯｐｅｒａｔｏｒＩＤ）と関連したＥＳＧサブセットに対するものであり、他のＥＳＧアナウンスメントカルーセルＦＬＵＴＥセッションは、他のＩＰＤＣオペレータ（ＩＰＤＣＫＭＳＩＤ、ＩＰＤＣＯｐｅｒａｔｏｒＩＤ）と関連したＥＳＧサブセットに対するものである。
【０２１４】
３番目の例として、一つのＥＳＧアナウンスメントカルーセルＦＬＵＴＥセッションは、一つの領域に関連したＥＳＧサブセットに対するものであり、他のＥＳＧアナウンスメントカルーセルＦＬＵＴＥセッションは、他の領域に関連したＥＳＧサブセットに対するものである。
４番目の例として、一つのＥＳＧアナウンスメントカルーセルＦＬＵＴＥセッションは、ローカルユーザーに関連したＥＳＧサブセットに対するものであり、他のＥＳＧアナウンスメントカルーセルＦＬＵＴＥセッションはローミングユーザーに関連したＥＳＧサブセットに対するものである。
一つのＥＳＧが２個以上のＩＰプラットフォームに適用されると、異なるＥＳＧアナウンスメントカルーセルＦＬＵＴＥセッションがそのＥＳＧに存在する異なるＩＰプラットフォームに対して用意できることがわかるはずである。
【０２１５】
図４３の参照符号４３１０は、一つの種類の属性を有する一つのＥＳＧサブセット（例えば、衛星を通じたＥＳＧサブセット、一つのＩＰＤＣオペレータと関連したＥＳＧサブセット、又は一部領域と関連したＥＳＧサブセット）に対するＥＳＧアナウンスメントカルーセルＦＬＵＴＥセッションを表す。
図４３の参照符号４３２０は、他の種類の属性を有する他のＥＳＧサブセット（例えば、地上波を通じたＥＳＧサブセット、他のＩＰＤＣオペレータと関連したＥＳＧサブセット、又は他の領域と関連したＥＳＧサブセット）に対するＥＳＧアナウンスメントカルーセルＦＬＵＴＥセッションを表す。
【０２１６】
異なるＥＳＧアナウンスメントカルーセルＦＬＵＴＥセッション４３１０、４３２０は、相互に異なる方式で示すことができる。一例として、オリジナルＥＳＧアナウンスメントカルーセルＦＬＵＴＥセッションは、図４４に示すように、他のＥＳＧサブセットに対する他のＥＳＧアナウンスメントカルーセルに関するアクセス情報を示す。
図４４に示すように、参照符号４４１０は、一つの種類の属性を有する一つのＥＳＧサブセット（例えば、衛星を通じたＥＳＧサブセット、一つのＩＰＤＣオペレータと関連したＥＳＧサブセット、又は特定領域と関連したＥＳＧサブセット）に対するＥＳＧアナウンスメントカルーセルＦＬＵＴＥセッションを表す。
【０２１７】
参照符号４４２０は、他の種類の属性を有する他のＥＳＧサブセット（例えば、衛星を通じたＥＳＧサブセット、他のＩＰＤＣオペレータと関連したＥＳＧサブセット、又は他の領域と関連したＥＳＧサブセット）に対するＥＳＧアナウンスメントカルーセルＦＬＵＴＥセッションを表す。
他の例として、ＥＳＧアクセスディスクリプタは、図４５に示すように、それらに対する各々のＩＰアドレス、ポート番号、及びＴＳＩを指示できる。図４５で“ｘｘ．ｘｘ．ｘｘ．ｘｘ：ｘｘｘｘ”の表現は、“ＩＰアドレス：ポート番号”を意味する。例えば、ＣＤＰアプリケーション（ＥＴＳＩ  ＴＳ  １０２  ４７２）では、ＴＳＩとＩＰソースアドレスの組み合わせは、ＦＬＵＴＥセッションを識別することを意味する。
【０２１８】
したがって、図４５に示すように、参照符号４５１０は、一つの種類の属性を有する一つのＥＳＧサブセット（例えば、衛星を通じたＥＳＧサブセット、一つのＩＰＤＣオペレータと関連したＥＳＧサブセット、又は特定領域と関連したＥＳＧサブセット）に対するＥＳＧアナウンスメントカルーセルＦＬＵＴＥセッションを表す。参照符号４５２０は、他の種類の属性を有する他のＥＳＧサブセット（例えば、地上波を通じたＥＳＧサブセット、他のＩＰＤＣオペレータと関連したＥＳＧサブセット、又は他の領域と関連したＥＳＧサブセット）に対するＥＳＧアナウンスメントカルーセルＦＬＵＴＥセッションを表す。
【０２１９】
図４５の例において、異なるＥＳＧアナウンスメントカルーセルＦＬＵＴＥセッションは、同一のＥＳＧの相互に異なるＥＳＧサブセットに対するものである。サーバ側においては、異なるＥＳＧアナウンスメントカルーセルＦＬＵＴＥセッションは、異なる属性を有する相互に異なるＥＳＧサブセットに対して（例えば、衛星ネットワーク及び地上波ネットワークに対して）準備される。その各々は、自身の識別子を有する。
【０２２０】
本発明に関連して、これらＥＳＧアナウンスメントカルーセルＦＬＵＴＥセッションを伝送する相異なる方式がある。
（１）複数のＥＳＧアナウンスメントカルーセルＦＬＵＴＥセッションは分散方式で伝送される。
一実施形態において、すべてのＥＳＧアナウンスメントカルーセルＦＬＵＴＥセッションは、複数のネットワーク又は複数のセルを用いる分散方式で、あるいは任意の他の方式で伝送することができる。それぞれのＥＳＧアナウンスメントカルーセルＦＬＵＴＥセッションは、その属性及び伝送条件によって伝達される。
【０２２１】
例えば、衛星ネットワークに対するＥＳＧアナウンスメントカルーセルＦＬＵＴＥセッションは、衛星を通じる場合に伝達され、地上波ネットワークに対するＥＳＧアナウンスメントカルーセルＦＬＵＴＥセッションは地上波ネットワークを通じる場合に伝達される。したがって、端末は、衛星ネットワークから信号を受信する場合に衛星に対するＥＳＧアナウンスメントカルーセル及びＥＳＧサブセットを受信し、地上波ネットワークから信号を受信する場合に地上波に対するＥＳＧアナウンスメントカルーセル及びＥＳＧサブセットを受信する。
【０２２２】
本実施形態では、端末が受信するのは完全なＥＳＧでなく、一回の受信でのＥＳＧの一つのサブセットであり得る。
それは、端末が異なって、例えば衛星からの受信及び地上波ネットワークからの受信時に、同一のＥＳＧＵＲＩを有する異なるＥＳＧデータを受信することを意味する。しかしながら、受信したＥＳＧが完全なものであるか否か、及び受信を変更する際に端末がＥＳＧの新たなサブセットをアップデートして受信する必要があるか否かを端末が知っているかに対しては不明確である。したがって、本発明の実施形態は、一つのＥＳＧに対するＥＳＧアナウンスメントカルーセルＦＬＵＴＥセッションが分散方式で伝送するか否かを示す一つのラベルを加える。
【０２２３】
例えば、“ＭｕｌｔｉｐｌｅＥＳＧＡｎｎｏｕｎｃｅｍｅｎｔＣａｒｏｕｓｅｌ”は、ラベルとして付加される。これは、複数のＥＳＧアナウンスメントカルーセルが与えられたＥＳＧに適用されるか否かを示すために追加される新たな要素である。例えば、この“ＭｕｌｔｉｐｌｅＥＳＧＡｎｎｏｕｎｃｅｍｅｎｔＣａｒｏｕｓｅｌ”が“１”として設定されると、複数のＥＳＧアナウンスメントカルーセルがこのＥＳＧに適用されることを意味する。“ＭｕｌｔｉｐｌｅＥＳＧＡｎｎｏｕｎｃｅｍｅｎｔＣａｒｏｕｓｅｌ”が“０”として設定されると、ただ一つのＥＳＧアナウンスメントカルーセルがＥＳＧに適用されることを意味する。
【表６９】
2011509625.tif 000081
【０２２４】
このラベルの位置は、本発明の範囲から外れない限り多様な位置となり得る。制限されない例を下記に示す。例えば、表７０〜表７３は、ＥＳＧアクセスディスクリプタに新たなラベルが付加される例を示す。
第１の位置例を表７０のように示す。
【表７０】
2011509625.tif 000082
【０２２５】
第２の位置例を表７１のように示す。
【表７１】
2011509625.tif 000083
【０２２６】
第３の位置例を表７２のように示す。
【表７２】
2011509625.tif 000084
【０２２７】
本発明の他の実施形態において、新たな要素は、表７３に示すようにＥＳＧプロバイダディスカバリディスクリプタに付加されることができる。
【表７３】
2011509625.tif 000085
【０２２８】
（２）複数のＥＳＧアナウンスメントカルーセルＦＬＵＴＥセッションに対する属性がシグナリングされる。
本実施形態において、複数のＥＳＧアナウンスメントＦＬＵＴＥセッションが同時に転送される。この場合、端末が適切なＦＬＵＴＥセッションを選択する方法が主な問題である。したがって、本実施形態では、それぞれのＥＳＧアナウンスメントカルーセルＦＬＵＴＥセッションに対する属性が（例えば、衛星又は地上波に対して、領域１又は領域２に対して、ＩＰＤＣオペレータ１又はＩＰＤＣオペレータ２に対して、ローカルユーザー又はローミングユーザーに対して）シグナリングされる。このシグナリングに基づき、端末はアクセスに適切なものを選択できる。
【０２２９】
例えば、ＤＶＢ−ＳＨシステムにおいて、ネットワークＩＤ及びセルＩＤは、それぞれのＥＳＧアクセスアナウンスメントカルーセルに対してシグナリングすることができる。このように、端末は、セルＩＤに基づいた衛星セルであるか、あるいは地上波セルであるかを知ることができる。
【表７４】
2011509625.tif 000086
【０２３０】
新たな要素の位置は、本発明の範囲を外れない限り、多様である。この新たな要素“セルＩＤ”は、例えばＥＳＧアクセスディスクリプタに多様な方式で付加できる。その一例を、表７５に示す。
【表７５】
2011509625.tif 000087
【０２３１】
あるいは、表７６に示すように位置することもできる。
【表７６】
2011509625.tif 000088
【０２３２】
各ＥＳＧアナウンスメントカルーセルＦＬＵＴＥセッションに対するセル情報は、表７７及び表７８に示すように詳細にシグナリングすることができる。
【表７７】
2011509625.tif 000089
【０２３３】
【表７８】
2011509625.tif 000090
2011509625.tif 000091
【０２３４】
これまで、ＳＨシステムに対する例について説明した。他の目的（例えば、異なるＩＰＤＣオペレータ、異なる領域、ローカル又はローミングユーザー）に使用される複数のＥＳＧアナウンスメントカルーセルＦＬＵＴＥセッションは同様に適用することができる。
２つの場合に対する例を、表７９及び表８０に示す。
【表７９】
2011509625.tif 000092
【０２３５】
【表８０】
2011509625.tif 000093
2011509625.tif 000094
【０２３６】
ＥＳＧプロバイダディスカバリディスクリプタ及びＥＳＧアクセスディスクリプタは、ＥＳＧｏＩＡの場合をカバーするために拡張される。この新たなバージョンに基づいて、新たな要素を変更することもできる。
表８１は、ＥＳＧプロバイダディスカバリディスクリプタの拡張を示す。ここで、ボールド体で表す要素は新たな要素である。
【表８１】
2011509625.tif 000095
2011509625.tif 000096
【０２３７】
ＥＳＧプロバイダディスカバリディスクリプタの例示的な意味は、表８２として定義される。
【表８２】
2011509625.tif 000097
2011509625.tif 000098
【０２３８】
さらに、例示の“ＭｕｌｔｉｐｌｅＥＳＧＡｎｎｏｕｎｃｅｍｅｎｔＣａｒｏｕｓｅＡｔｔｒｉｂｕｔｅ”の分類方式は、表８３に示す。
【表８３】
2011509625.tif 000099
【０２３９】
表８４に示す独立ディスクリプタは、この情報をシグナリングするのに使用することができる。
【表８４】
2011509625.tif 000100
【０２４０】
パーティション又は異なるＥＳＧサブセットに対する複数のＥＳＧアナウンスメントカルーセルをサポートするために、属性は、フラグメントレベル、例えばどのフラグメントが衛星セルに対するものであるか、及びどのフラグメントが地上波セルに対するものであるかを示すために必要である。
【０２４１】
以上、本発明の詳細な説明においては具体的な実施形態に関して説明したが、本発明は、前述の実施形態に限定されるものではない。本発明は、添付した特許請求の範囲の記載及びこれと均等なものに基づいて定められる本発明の範囲を外れることなく、多様な変更、追加、及び置換が可能であることは、当該技術分野における通常の知識を持つ者には明らかである。
【符号の説明】
【０２４２】
７１０、７５０、８１０、８５０    ＩＰプラットフォーム
７２０、７３０、７６０、７７０、８２０、８３０、８６０    ＩＰＤＣオペレータ
７４０、７８０、８４０、８７０    ＥＳＧブートストラップ情報
９１０−１〜９１０−ｍ    ＥＳＧプロバイダディスカバリディスクリプタ
９２０−１−１〜９２０−ｍ−ｎ    ＥＳＧアクセスディスクリプタ
９３０−１〜９３０−Ｋ    ＩＰＤＣオペレータ
１０１０、１３１０    ＥＳＧブートストラップ
１０１１、１３１１    ＥＳＧプロバイダディスカバリディスクリプタ
１０１２    ＥＳＧアクセスディスクリプタ
１０１３    ＩＰＤＣオペレータ
２９１０    領域１
２９２０、３０２５、３０３５    端末
２９４０    ＩＰＤＣオペレータ
３０００    ＥＳＧ
３０１０、３０２０、３０３０    オペレータ
４２１０、４２３０    ＥＳＧアナウンスメントカルーセルＦＬＵＴＥセッション
【図１】
2011509625.tif 000101
【図２】
2011509625.tif 000102
【図３】
2011509625.tif 000103
【図４】
2011509625.tif 000104
【図５】
2011509625.tif 000105
【図６】
2011509625.tif 000106
【図７】
2011509625.tif 000107
【図８】
2011509625.tif 000108
【図９】
2011509625.tif 000109
【図１０】
2011509625.tif 000110
【図１１】
2011509625.tif 000111
【図１２】
2011509625.tif 000112
【図１３】
2011509625.tif 000113
【図１４】
2011509625.tif 000114
【図１５】
2011509625.tif 000115
【図１６】
2011509625.tif 000116
【図１７】
2011509625.tif 000117
【図１８】
2011509625.tif 000118
【図１９Ａ】
2011509625.tif 000119
【図１９Ｂ】
2011509625.tif 000120
【図２０】
2011509625.tif 000121
【図２１】
2011509625.tif 000122
【図２２】
2011509625.tif 000123
【図２３】
2011509625.tif 000124
【図２４】
2011509625.tif 000125
【図２５】
2011509625.tif 000126
【図２６】
2011509625.tif 000127
【図２７】
2011509625.tif 000128
【図２８】
2011509625.tif 000129
【図２９】
2011509625.tif 000130
【図３０】
2011509625.tif 000131
【図３１】
2011509625.tif 000132
【図３２】
2011509625.tif 000133
【図３３】
2011509625.tif 000134
【図３４】
2011509625.tif 000135
【図３５】
2011509625.tif 000136
【図３６】
2011509625.tif 000137
【図３７】
2011509625.tif 000138
【図３８】
2011509625.tif 000139
【図３９】
2011509625.tif 000140
【図４０】
2011509625.tif 000141
【図４１】
2011509625.tif 000142
【図４２】
2011509625.tif 000143
【図４３】
2011509625.tif 000144
【図４４】
2011509625.tif 000145
【図４５】
2011509625.tif 000146
【国際調査報告】
2011509625.tif 000147
2011509625.tif 000148